(57)【要約】第１のステーションの複数の無線通信モジュール（ＲＣＭ）の１つをウェイクアップする方法は、第２のステーションからウェイクアップ構成を受信するステップと、複数のＲＣＭをスリーピングモードに設定するステップと、第１のステーションの補助的低電力無線受信器上で第２のステーションからウェイクアップ信号を受信するステップと、ウェイクアップ構成に従って、ウェイクアップする複数のＲＣＭの第１のＲＣＭを決定するステップと、第２のステーションと通信するために、第１のＲＣＭをスリーピングモードからウェイクアップするステップとを含む。
2019527982.tif 000002
【特許請求の範囲】
【請求項１】
第１のステーションの複数の無線通信モジュール（ＲＣＭ）の１つをウェイクアップする方法であって、
前記第１のステーションによって、第２のステーションからウェイクアップ構成を受信するステップと、
前記第１のステーションによって、前記第１のステーションの前記複数のＲＣＭをスリーピングモードに設定するステップと、
前記第１のステーションによって、前記第１のステーションの補助的低電力無線受信器上で前記第２のステーションからウェイクアップ信号を受信するステップと、
前記第１のステーションによって、前記ウェイクアップ構成に従って、ウェイクアップする前記複数のＲＣＭの第１のＲＣＭを決定するステップと、
前記第１のステーションによって、前記第２のステーションと通信するために、前記第１のＲＣＭを前記スリーピングモードからウェイクアップするステップと
を含む方法。
【請求項２】
前記ウェイクアップ構成を決定するために、前記第１のステーションによって、前記第２のステーションと通信するステップをさらに含む請求項１に記載の方法。
【請求項３】
前記ウェイクアップ構成を決定するために前記第２のステーションと通信するステップは、前記複数のＲＣＭの前記第１のＲＣＭまたは第２のＲＣＭを用いて行われ、前記第２のＲＣＭは前記第１のＲＣＭとは異なる請求項１または２に記載の方法。
【請求項４】
前記ウェイクアップ構成は、前記第１のステーションの各ＲＣＭの電力消費と比較した電力消費要件、前記第１のステーションの各ＲＣＭをウェイクアップすることに関連付けられたレイテンシと比較したレイテンシ要件、前記第１のステーションの前記ＲＣＭのそれぞれによってサポートされるサービス品質（ＱｏＳ）要件と比較した予想されるデータ送信のＱｏＳ要件、前記第１のステーションの前記ＲＣＭのそれぞれによってサポートされる通信レンジを有する前記第１のステーションと前記第２のステーションとの間の推定されるレンジと比較したレンジ要件、前記第１のステーションの履歴および使用情報の１つまたは複数に従って決定される請求項１乃至３のいずれか一項に記載の方法。
【請求項５】
前記ウェイクアップ構成は、前記第１のＲＣＭのインジケーションを備える請求項１乃至４のいずれか一項に記載の方法。
【請求項６】
前記ウェイクアップ構成は、マッピングインジケータ値の、前記第１のステーションの前記複数のＲＣＭのＲＣＭへのマッピングを備え、前記ウェイクアップ信号はマッピングインジケータを含み、前記第１のＲＣＭを決定するステップは、前記マッピングおよび前記マッピングインジケータに従って前記第１のＲＣＭを選択するステップを含む請求項１乃至５のいずれか一項に記載の方法。
【請求項７】
前記第１のステーションによって、ＲＣＭウェイクアップインジケータを前記第２のステーションに送信するステップと、
前記第１のステーションによって、前記第１のＲＣＭ上で前記第２のステーションから応答を受信する前にタイムアウトを検出するステップと、
前記第１のステーションによって、ウェイクアップする前記第１のステーションの前記複数のＲＣＭの第３のＲＣＭを決定するステップと、
前記第１のステーションによって、前記第３のＲＣＭをウェイクアップするステップと、
前記第１のステーションによって、前記第３のＲＣＭをウェイクアップした後に前記第３のＲＣＭを用いて前記第２のステーションと通信するステップと
をさらに含む請求項１乃至６のいずれか一項に記載の方法。
【請求項８】
複数の無線通信モジュール（ＲＣＭ）を有する第１のステーションと通信する方法であって、
第２のステーションによって、前記第１のステーションのためのウェイクアップ構成を送信するステップと、
前記第２のステーションによって、前記第１のステーションの前記複数のＲＣＭをスリーピングモードに設定するステップと、
前記第２のステーションによって、前記第１のステーションを対象とするウェイクアップ信号を送信するステップであって、前記ウェイクアップ信号は、前記ウェイクアップ構成に従って前記複数のＲＣＭの第１のＲＣＭをウェイクアップするように構成される、ステップと、
前記第２のステーションによって、前記第１のステーションの前記複数のＲＣＭの第２のＲＣＭからウェイクアップインジケーションを受信するステップと、
前記第２のステーションによって、前記第１のステーションの前記複数のＲＣＭの前記第２のＲＣＭに関連付けられた前記第２のステーションの第３のＲＣＭを用いて、前記第１のステーションとデータを通信するステップと
を含む方法。
【請求項９】
前記ウェイクアップ構成は、前記第１のＲＣＭのインジケーションを備える請求項８に記載の方法。
【請求項１０】
前記第２のステーションによって、前記ウェイクアップ構成を決定するために前記第１のステーションと通信するステップをさらに含む請求項８または９に記載の方法。
【請求項１１】
前記ウェイクアップ構成を決定するために前記第１のステーションと通信するステップは、前記第１のＲＣＭの１つに関連付けられた前記第２のステーションの第４のＲＣＭ、または前記第１のＲＣＭとは異なる、前記第１のステーションの前記複数のＲＣＭの第５のＲＣＭを用いて行われる請求項８乃至１０のいずれか一項に記載の方法。
【請求項１２】
前記ウェイクアップ構成は、前記第１のステーションの各ＲＣＭの電力消費と比較した電力消費要件、前記第１のステーションの各ＲＣＭをウェイクアップすることに関連付けられたレイテンシと比較したレイテンシ要件、前記第１のステーションの前記ＲＣＭのそれぞれによってサポートされるサービス品質（ＱｏＳ）要件と比較した予想されるデータ送信のＱｏＳ要件、前記第１のステーションの前記ＲＣＭのそれぞれによってサポートされる通信レンジを有する前記第１のステーションと前記第２のステーションとの間の推定されるレンジと比較したレンジ要件、前記第１のステーションの履歴および使用情報の１つまたは複数に従って決定される請求項８乃至１１のいずれか一項に記載の方法。
【請求項１３】
前記ウェイクアップ構成は、マッピングインジケータ値の、前記第１のステーションの前記複数のＲＣＭのＲＣＭへのマッピングを備え、前記ウェイクアップ信号はマッピングインジケータを含み、前記方法は前記第２のステーションによって、前記マッピングに従って前記第１のＲＣＭに対応する、前記ウェイクアップ信号内の前記マッピングインジケータの値を決定するステップをさらに含む請求項８乃至１２のいずれか一項に記載の方法。
【請求項１４】
プロセッサ、および
前記プロセッサによる実行のためのプログラミングを記憶したコンピュータ可読記憶媒体を備えた第１のステーションであって、前記プログラミングは、
第２のステーションからウェイクアップ構成を受信することと、
前記第１のステーションの複数の無線通信モジュール（ＲＣＭ）をスリーピングモードに設定することと、
前記第１のステーションの補助的低電力無線受信器上で前記第２のステーションからウェイクアップ信号を受信することと、
前記ウェイクアップ構成に従って、ウェイクアップする前記複数のＲＣＭの第１のＲＣＭを決定することと、
前記第２のステーションと通信するために、前記第１のＲＣＭを前記スリーピングモードからウェイクアップすること
を行うように前記第１のステーションを構成するための命令を含む第１のステーション。
【請求項１５】
前記プログラミングは、前記ウェイクアップ構成を決定するために前記第２のステーションと通信するように、前記第１のステーションを構成するための命令を含む請求項１４に記載の第１のステーション。
【請求項１６】
前記ウェイクアップ構成は、前記第１のＲＣＭのインジケーションを備える請求項１４または１５に記載の第１のステーション。
【請求項１７】
前記ウェイクアップ構成は、マッピングインジケータ値の、前記第１のステーションの前記複数のＲＣＭのＲＣＭへのマッピングを備え、前記ウェイクアップ信号はマッピングインジケータを含み、前記プログラミングは、前記マッピングおよび前記マッピングインジケータに従って前記第１のＲＣＭを選択するように、前記第１のステーションを構成するための命令を含む請求項１４乃至１６のいずれか一項に記載の第１のステーション。
【請求項１８】
前記プログラミングは、前記第１のステーションを、ＲＣＭウェイクアップインジケータを前記第２のステーションに送信することと、前記第１のＲＣＭ上で前記第２のステーションから応答を受信する前にタイムアウトを検出することと、ウェイクアップする前記第１のステーションの前記複数のＲＣＭの第３のＲＣＭを決定することと、前記第３のＲＣＭをウェイクアップすることと、前記第３のＲＣＭをウェイクアップした後に前記第３のＲＣＭを用いて前記第２のステーションと通信することとを行うように構成するための命令を含む請求項１４乃至１７のいずれか一項に記載の第１のステーション。
【請求項１９】
プロセッサ、および
前記プロセッサによる実行のためのプログラミングを記憶したコンピュータ可読記憶媒体を備えた第２のステーションであって、前記プログラミングは、
第１のステーションのためのウェイクアップ構成を送信することと、
前記第１のステーションの複数の無線通信モジュール（ＲＣＭ）をスリーピングモードに設定することと、
前記第１のステーションを対象とするウェイクアップ信号を送信することであって、前記ウェイクアップ信号は、前記ウェイクアップ構成に従って前記複数のＲＣＭの第１のＲＣＭをウェイクアップするように構成される、送信することと、
前記第１のステーションの前記複数のＲＣＭの第２のＲＣＭからウェイクアップインジケーションを受信することと、
前記第１のステーションの前記複数のＲＣＭの前記第２のＲＣＭに関連付けられた前記第２のステーションの第３のＲＣＭを用いて、前記第１のステーションとデータを通信することと
を行うように前記第２のステーションを構成するための命令を含む第２のステーション。
【請求項２０】
前記プログラミングは、前記ウェイクアップ構成を決定するために前記第１のステーションと通信するように、前記第２のステーションを構成するための命令を備える請求項１９に記載の第２のステーション。
【請求項２１】
前記ウェイクアップ構成は、マッピングインジケータ値の、前記第１のステーションの前記複数のＲＣＭのＲＣＭへのマッピングを備え、前記ウェイクアップ信号はマッピングインジケータを含み、前記プログラミングは、前記マッピングに従って前記第１のＲＣＭに対応する、前記ウェイクアップ信号内の前記マッピングインジケータの値を決定するように前記第２のステーションを構成するための命令を含む請求項１９または２０に記載の第２のステーション。
【発明の詳細な説明】
【技術分野】
【０００１】
本発明は一般にデジタル通信のためのシステムおよび方法に関し、特定の実施形態において、デバイスの無線通信モジュール（ＲＣＭ）をウェイクアップするためのシステムおよび方法に関する。
【背景技術】
【０００２】
関連出願の相互参照
本出願は、２０１７年７月１３日に出願した「Ｓｙｓｔｅｍ  Ａｎｄ  Ｍｅｔｈｏｄ  Ｆｏｒ  Ｗａｋｉｎｇ  Ｕｐ  Ａ  Ｒａｄｉｏ  Ｃｏｍｍｕｎｉｃａｔｉｏｎｓ  Ｍｏｄｕｌｅ  Ｏｆ  Ａ  Ｄｅｖｉｃｅ」という名称の米国特許非仮出願第１５／６４８，９４５号の利益を主張し、これはひいては２０１６年８月３日に出願した「Ｓｙｓｔｅｍ  ａｎｄ  Ｍｅｔｈｏｄ  ｆｏｒ  Ｗａｋｉｎｇ  Ｕｐ  ａ  Ｒａｄｉｏ  Ｃｏｍｍｕｎｉｃａｔｉｏｎｓ  Ｍｏｄｕｌｅ  ｏｆ  ａ  Ｄｅｖｉｃｅ」という名称の米国特許仮出願第６２／３７０，５０９号からの優先権を主張するものであり、両特許出願はそれらの全体が再現されているかの如く参照により本明細書に組み込まれる。
【０００３】
電力消費は、電池駆動されるデバイスにおいて主要な考慮すべき事項である。電池駆動のデバイスに対する設計基準は、電池再充電の間の、または交換の期間をできるだけ延ばすためにできる限り電力消費を最小にすることである。遠隔に位置するセンサなど、いくつかの配備において、電池交換は非実用的であると共に費用がかかることがある。携帯電話、タブレット、ラップトップコンピュータ、ウェアラブルデバイス（ＷＤ）など、電池駆動のデバイスが容易に使用可能であり再充電が容易である状況においても、電池を再充電することは依然として不便な時間のかかる仕事である。
【０００４】
これらの電池駆動のデバイスの動作にとって極めて重要な無線接続性をもたらす、無線通信モジュール（ＲＣＭ）はまた、電力消費の顕著な発生源である。問題は専ら単一のデバイスが複数のＲＣＭを含むときに拡大する。従って、ＲＣＭを有する電池駆動のデバイスにおける電力消費を削減する必要性がある。
【発明の概要】
【発明が解決しようとする課題】
【０００５】
例示の実施形態は、ステーションの無線通信モジュール（ＲＣＭ）をウェイクアップするためのシステムおよび方法をもたらす。
【課題を解決するための手段】
【０００６】
例示の実施形態によれば、第１のステーションの複数の無線通信モジュール（ＲＣＭ）の１つをウェイクアップする方法がもたらされる。方法は、第１のステーションによって、第２のステーションからウェイクアップ構成を受信するステップと、第１のステーションによって、第１のステーションの複数のＲＣＭをスリーピングモードに設定するステップと、第１のステーションによって、第１のステーションの補助的低電力無線受信器上で第２のステーションからウェイクアップ信号を受信するステップと、第１のステーションによって、ウェイクアップ構成に従って、ウェイクアップする複数のＲＣＭの第１のＲＣＭを決定するステップと、第１のステーションによって、第２のステーションと通信するために、第１のＲＣＭをスリーピングモードからウェイクアップするステップとを含む。
【０００７】
方法は、ウェイクアップ構成を決定するために、第１のステーションによって、第２のステーションと通信するステップを含む。ウェイクアップ構成を決定するために第２のステーションと通信するステップは、複数のＲＣＭの第１のＲＣＭまたは第２のＲＣＭを用いて行われ、第２のＲＣＭは第１のＲＣＭとは異なる。ウェイクアップ構成は、第１のステーションの各ＲＣＭの電力消費と比較した電力消費要件、第１のステーションの各ＲＣＭをウェイクアップすることに関連付けられたレイテンシと比較したレイテンシ要件、第１のステーションのＲＣＭのそれぞれによってサポートされるサービス品質（ＱｏＳ）要件と比較した予想されるデータ送信のＱｏＳ要件、第１のステーションのＲＣＭのそれぞれによってサポートされる通信レンジを有する第１のステーションと第２のステーションとの間の推定されるレンジと比較したレンジ要件、第１のステーションの履歴および使用情報の１つまたは複数に従って決定される。
【０００８】
ウェイクアップ構成は、第１のＲＣＭのインジケーションを含む。ウェイクアップ構成は、マッピングインジケータ値の、第１のステーションの複数のＲＣＭのＲＣＭへのマッピングを含み、ウェイクアップ信号はマッピングインジケータを含み、第１のＲＣＭを決定するステップは、マッピングおよびマッピングインジケータに従って第１のＲＣＭを選択するステップを含む。方法は、第１のステーションによって、ＲＣＭウェイクアップインジケータを第２のステーションに送信するステップと、第１のステーションによって、第１のＲＣＭ上で第２のステーションから応答を受信する前にタイムアウトを検出するステップと、第１のステーションによって、ウェイクアップする第１のステーションの複数のＲＣＭの第３のＲＣＭを決定するステップと、第１のステーションによって、第３のＲＣＭをウェイクアップするステップと、第１のステーションによって、第３のＲＣＭをウェイクアップした後に第３のＲＣＭを用いて第２のステーションと通信するステップとを含む。
【０００９】
例示の実施形態によれば、複数のＲＣＭを有する第１のステーションと通信する方法がもたらされる。方法は、第２のステーションによって、第１のステーションのためのウェイクアップ構成を送信するステップと、第２のステーションによって、第１のステーションの複数のＲＣＭをスリーピングモードに設定するステップと、第２のステーションによって、第１のステーションを対象とするウェイクアップ信号を送信するステップであって、ウェイクアップ信号は、ウェイクアップ構成に従って複数のＲＣＭの第１のＲＣＭをウェイクアップするように構成される、ステップと、第２のステーションによって、第１のステーションの複数のＲＣＭの第２のＲＣＭからウェイクアップインジケーションを受信するステップと、第２のステーションによって、第１のステーションの複数のＲＣＭの第２のＲＣＭに関連付けられた第２のステーションの第３のＲＣＭを用いて、第１のステーションとデータを通信するステップとを含む。
【００１０】
ウェイクアップ構成は、第１のＲＣＭのインジケーションを備える。方法は、第２のステーションによって、ウェイクアップ構成を決定するために第１のステーションと通信するステップを含む。ウェイクアップ構成を決定するために第１のステーションと通信するステップは、第１のＲＣＭの１つに関連付けられた第２のステーションの第４のＲＣＭ、または第１のＲＣＭとは異なる、第１のステーションの複数のＲＣＭの第５のＲＣＭを用いて行われる。
【００１１】
ウェイクアップ構成は、第１のステーションの各ＲＣＭの電力消費と比較した電力消費要件、第１のステーションの各ＲＣＭをウェイクアップすることに関連付けられたレイテンシと比較したレイテンシ要件、第１のステーションのＲＣＭのそれぞれによってサポートされるサービス品質（ＱｏＳ）要件と比較した予想されるデータ送信のＱｏＳ要件、第１のステーションのＲＣＭのそれぞれによってサポートされる通信レンジを有する第１のステーションと第２のステーションとの間の推定されるレンジと比較したレンジ要件、第１のステーションの履歴および使用情報の１つまたは複数に従って決定される。
【００１２】
ウェイクアップ構成は、マッピングインジケータ値の、第１のステーションの複数のＲＣＭのＲＣＭへのマッピングを含み、ウェイクアップ信号はマッピングインジケータを含み、方法は第２のステーションによって、マッピングに従って第１のＲＣＭに対応する、ウェイクアップ信号内のマッピングインジケータの値を決定するステップをさらに含む。
【００１３】
例示の実施形態によれば、第１のステーションがもたらされる。第１のステーションはプロセッサ、およびプロセッサによる実行のためのプログラミングを記憶したコンピュータ可読記憶媒体を含む。プログラミングは、第２のステーションからウェイクアップ構成を受信することと、第１のステーションの複数のＲＣＭをスリーピングモードに設定することと、第１のステーションの補助的低電力無線受信器上で第２のステーションからウェイクアップ信号を受信することと、ウェイクアップ構成に従って、ウェイクアップする複数のＲＣＭの第１のＲＣＭを決定することと、第２のステーションと通信するために、第１のＲＣＭをスリーピングモードからウェイクアップすることを行うように第１のステーションを構成するための命令を含む。
【００１４】
プログラミングは、ウェイクアップ構成を決定するために第２のステーションと通信するように、第１のステーションを構成するための命令を含む。ウェイクアップ構成は、第１のＲＣＭのインジケーションを含む。ウェイクアップ構成は、マッピングインジケータ値の、第１のステーションの複数のＲＣＭのＲＣＭへのマッピングを含み、ウェイクアップ信号はマッピングインジケータを含み、プログラミングは、マッピングおよびマッピングインジケータに従って第１のＲＣＭを選択するように、第１のステーションを構成するための命令を含む。
【００１５】
プログラミングは、ＲＣＭウェイクアップインジケータを第２のステーションに送信することと、第１のＲＣＭ上で第２のステーションから応答を受信する前にタイムアウトを検出することと、ウェイクアップする第１のステーションの複数のＲＣＭの第３のＲＣＭを決定することと、第３のＲＣＭをウェイクアップすることと、第３のＲＣＭをウェイクアップした後に第３のＲＣＭを用いて第２のステーションと通信することとを行うように第１のステーションを構成するための命令を含む。
【００１６】
例示の実施形態によれば、複数のＲＣＭを有する第１のステーションと通信するように適合された第２のステーションがもたらされる。第２のステーションはプロセッサ、およびプロセッサによる実行のためのプログラミングを記憶したコンピュータ可読記憶媒体を含む。プログラミングは、第１のステーションのためのウェイクアップ構成を送信することと、第１のステーションの複数のＲＣＭをスリーピングモードに設定することと、第１のステーションを対象とするウェイクアップ信号を送信することであって、ウェイクアップ信号は、ウェイクアップ構成に従って複数のＲＣＭの第１のＲＣＭをウェイクアップするように構成される、送信することと、第１のステーションの複数のＲＣＭの第２のＲＣＭからウェイクアップインジケーションを受信することと、第１のステーションの複数のＲＣＭの第２のＲＣＭに関連付けられた第２のステーションの第３のＲＣＭを用いて、第１のステーションとデータを通信することとを行うように第２のステーションを構成するための命令を含む。
【００１７】
プログラミングは、ウェイクアップ構成を決定するために第１のステーションと通信するように、第２のステーションを構成するための命令を含む。ウェイクアップ構成は、マッピングインジケータ値の、第１のステーションの複数のＲＣＭのＲＣＭへのマッピングを含み、ウェイクアップ信号はマッピングインジケータを含み、プログラミングは、マッピングに従って第１のＲＣＭに対応する、ウェイクアップ信号内のマッピングインジケータの値を決定するように第２のステーションを構成するための命令を含む。
【発明の効果】
【００１８】
上記の実施形態の実施は電力消費を削減するように、電力を大量に消費するデバイスの非アクティブＲＣＭを非アクティブモードに設定すること、および消費される電力をできるだけ少なくすることを確実にするようにウェイクアッププロセスを簡略化することを可能にする。
【００１９】
上記の実施形態の実施はまた、単一の低電力ウェイクアップ受信器が、複数のＲＣＭの任意の１つをウェイクアップすることを可能にし、従ってデバイス当たり単一のアクティブな低電力ウェイクアップ受信器で十分であり、それによって電力消費削減をさらに高める。
【図面の簡単な説明】
【００２０】
次に本開示およびその利点のより完全な理解のために、添付の図面と併せ読まれる以下の説明が参照される。
【００２１】
【図１】例示の通信システムを示す図である。
【図２】本明細書で述べられる例示の実施形態による、ウェアラブルデバイスに重点を置いた例示の通信システムを示す図である。
【図３】低電力ウェイクアップ無線を有する、例示のＩＥＥＥ  ８０２．１１通信システムを示す図である。
【図４Ａ】本明細書で述べられる例示の実施形態による、例示のウェイクアップパケットの詳細図である。
【図４Ｂ】本明細書で述べられる例示の実施形態による、例示のウェイクアップパケットを示す図である。
【図５】本明細書で述べられる例示の実施形態による、送信および受信デバイスの両方におけるＬＰ−ＷＵ無線に重点を置いた例示の通信システムを示す図である。
【図６】本明細書で述べられる例示の実施形態による、ウェイクアップ信号におけるウェイクアップするＲＣＭのインジケーションに重点を置いた、第１の例示の通信システムを示す図である。
【図７】本明細書で述べられる例示の実施形態による、ウェイクアップ信号におけるウェイクアップするＲＣＭのインジケーションに重点を置いた、第２の例示の通信システムを示す図である。
【図８】本明細書で述べられる例示の実施形態による、ウェイクアップ信号を受信した場合に、ウェイクアップするようにＲＣＭを構成することに重点を置いた、第１の例示の通信システムを示す図である。
【図９】本明細書で述べられる例示の実施形態による、ウェイクアップ信号を受信した場合にウェイクアップするようにＲＣＭを構成することに重点を置いた、第２の例示の通信システムを示す図である。
【図１０】本明細書で述べられる例示の実施形態による、ＲＤが、どのＲＣＭをウェイクアップするかを決定することに重点を置いた、例示の通信システムを示す図である。
【図１１】本明細書で述べられる例示の実施形態による、ＴＤによるリダイレクションに重点を置いた例示の通信システムを示す図である。
【図１２Ａ】本明細書で述べられる例示の実施形態による、ＴＤがＲＤにおける複数のＲＣＭのどの１つをウェイクアップするかを決定する、ＴＤがＲＤと通信するのに従ってＴＤにおいて生じる例示の動作のフロー図である。
【図１２Ｂ】本明細書で述べられる例示の実施形態による、ＴＤがＲＤにおける複数のＲＣＭのどの１つをウェイクアップするかを決定する、ＲＤがＴＤと通信するのに従ってＲＤにおいて生じる例示の動作のフロー図である。
【図１３Ａ】本明細書で述べられる例示の実施形態による、ＴＤが、ＲＣＭをウェイクアップする前に、ウェイクアップ信号に応答してＲＤにおける複数のＲＣＭのどの１つをウェイクアップするかに関して、ＲＤと共に構成する、ＴＤがＲＤと通信するのに従って、ＴＤにおいて生じる例示の動作のフロー図である。
【図１３Ｂ】本明細書で述べられる例示の実施形態による、ＲＤが、ＲＣＭをウェイクアップする前に、ウェイクアップ信号に応答してＲＤにおける複数のＲＣＭのどの１つをウェイクアップするかに関して、ＴＤと共に構成する、ＲＤがＴＤと通信するのに従って、ＲＤにおいて生じる例示の動作のフロー図である。
【図１４Ａ】本明細書で述べられる例示の実施形態による、ＲＤがどのＲＣＭをウェイクアップするかを決定する、ＴＤがＲＤと通信するのに従ってＴＤにおいて生じる例示の動作のフロー図である。
【図１４Ｂ】本明細書で述べられる例示の実施形態による、ＴＤがどのＲＣＭをウェイクアップするかを決定する、ＲＤがＴＤと通信するのに従ってＲＤにおいて生じる例示の動作のフロー図である。
【図１５】本明細書で述べられる方法を行うための実施形態処理システムのブロック図である。
【図１６】本明細書で述べられる例示の実施形態による、電気通信ネットワークを通してシグナリングを送信および受信するように適合されたＲＣＭのブロック図である。
【発明を実施するための形態】
【００２２】
従って以下では、現在の例示の実施形態および構造を動作させることが詳しく論じられる。しかし本開示は、多種多様な特定の関連において具体化されることができる多くの適用可能な発明性のある概念をもたらすことが理解されるべきである。論じられる特定の実施形態は単に、本明細書で開示される実施形態の特定の構造、および実施形態を動作させるためのやり方を示すものであり、本開示の範囲を限定しない。
【００２３】
一実施形態は、デバイスの無線通信モジュール（ＲＣＭ）をウェイクアップするためのシステムおよび方法に関する。例えば本明細書では受信デバイスが、ウェイクアップ受信器がウェイクアップ信号を送信デバイスから受信したときに受信デバイス内にあるＲＣＭのいずれか１つをウェイクアップする能力を有する単一の（または単一のみの）ウェイクアップ受信器を有することを可能にするシステムおよび方法が述べられる。送信デバイスは受信デバイスにおけるどのＲＣＭをウェイクアップするかをウェイクアップ信号内に指定することができ、または送信デバイスおよび受信デバイスは前もって協調して、受信デバイスにおけるどのＲＣＭをウェイクアップするかを決定することができる。あるいは受信デバイスは、ウェイクアップ信号を受信するとすぐにどのＲＣＭをウェイクアップするかを決定することができる。例として受信デバイスは基準に基づいてＲＣＭをウェイクアップすることができ、基準は、受信デバイスの各ＲＣＭの電力消費と比較した電力消費要件、受信デバイスの各ＲＣＭをウェイクアップすることに関連付けられたレイテンシと比較したレイテンシ要件、受信デバイスのＲＣＭのそれぞれによってサポートされるサービス品質（ＱｏＳ）要件と比較した予想されるデータ送信のＱｏＳ要件、受信デバイスのＲＣＭのそれぞれによってサポートされる通信レンジを有する受信デバイスと送信デバイスとの間の推定されるレンジと比較したレンジ要件、受信デバイスの履歴および使用情報を含む。
【００２４】
ウェイクアップ送信器は、小規模な変更で直交周波数分割多重（ＯＦＤＭ）送信器を用いて実施され得る。従ってＯＦＤＭをサポートするいずれのＲＣＭも、ウェイクアップ信号を送信することをサポートすることができる。
【００２５】
図１は例示の通信システム１００を示す。通信システム１００は、ステーション１１０、１１２、１１４、１１６、および１１８などの複数のステーションにサーブするアクセスポイント（ＡＰ）１０５を含む。インフラストラクチャベースの通信モードまたは無線ＬＡＮ（ＷＬＡＮ）モードと一般に呼ばれる第１の動作モードにおいて、アクセスポイント１０５は、その関連付けられたステーションとの、またはそれらの間の通信のいくつかの態様を制御する（無線周波数チャネル、送信電力制限、認証、セキュリティなど）。一般的に言えば通信システム１００において、アップリンク（ステーションからアクセスポイントへの）およびダウンリンク（アクセスポイントからステーションへの）送信の両方のための無線リソースは、一般に搬送波感知多重アクセス／衝突回避（ＣＳＭＡ／ＣＡ）と呼ばれる分散型競合機構に基づいて、送信器によってアクセスされる。しかしアクセスポイント１０５は、ステーションおよび／またはトラフィックタイプに異なるアクセス優先度を割り当てることにより、およびチャネル競合に成功したとき、いずれの送信器もその間は送信し得ない沈黙期間などの、一定のステーションおよび／またはトラフィックに対するまたは特別の目的のためのいくつかの期間を明示的に割り振ることによって、リソース割り振りに依然として影響を及ぼし得る。
【００２６】
一般に直接通信モード、アドホックモード、またはピアツーピアモードと呼ばれる第２の動作モードにおいて、ステーション（ステーション１１６およびステーション１１８など）はピアステーションとして働き、アクセスポイント１０５などの集中化されたエンティティを通過せずに互いに直接、通信し得る。このような直接通信の例は、Ｗｉ−Ｆｉ  Ｄｉｒｅｃｔおよび近接認識ネットワーキング（ＮＡＮ）準拠通信システムを含み、これらは共にＩＥＥＥ  ８０２．１１標準に基づくＷｉ−Ｆｉアライアンスによって指定される。
【００２７】
通信システムは、いくつかのＵＥと通信する能力を有する複数のアクセスポイントを使用し得ることが理解されるが、簡単にするために１つのアクセスポイントおよび５つのステーションのみが示される。
【００２８】
図２は、ウェアラブルデバイス（ＷＤ）に重点を置いた例示の通信システム２００を示す。通信システム２００は、インターネット２１５に接続された、ベースステーション２０５および／またはアクセスポイント２１０を含む。インターネット２１５と、ベースステーション２０５またはアクセスポイント２１０との間の接続は通常、ツイストペア、同軸ケーブル、および／または光ファイバなどを通した有線ネットワークに基づく。通信システム２００はまたハブデバイス（またはゲートウェイデバイス）２２０を含み、これはまたベースステーション２０５およびアクセスポイント２１０の一方または両方を通してインターネット２１５に接続される。
【００２９】
ハブデバイス２２０とベースステーション２０５との間の接続は通常、第３世代パートナーシッププロジェクト（３ＧＰＰ）高速パケットアクセス（ＨＳＰＡ）、またはロングタームエボリューション（ＬＴＥ）、移動体通信用グローバルシステム（ＧＳＭ（登録商標））などのセルラ無線技術を用いた公衆陸上移動体ネットワーク（ＰＬＭＮ）に基づき、および通常は、ユーザの家またはオフィスにインストールされたものなど、ハブデバイス２２０がローカルエリアネットワーク（ＬＡＮ）から切断されたときに用いられる。このような場合においてハブデバイス２２０は通常、スマートフォンまたは、自動車、バス、電車、ライトレール、飛行機などにインストールされた無線デバイスでよい。ハブデバイス２２０とアクセスポイント２１０との間の接続は通常、短距離無線技術（ＩＥＥＥ  ８０２．１１、Ｂｌｕｅｔｏｏｔｈ（登録商標）、またはＩＥＥＥ  ８０２．１５．４など）を用いた、または有線技術（例えばツイストペア、ケーブル、または電力線を通した）を用いたローカルエリアネットワークに基づき、および一般にハブデバイス２２０が、ユーザの家またはオフィスにインストールされたものなどのＬＡＮに接続されたときに用いられる。このような状況においてハブデバイス２２０は通常、スマートフォンまたは、アクセスポイント２１０と同じ場所に配置された、またはそれと接続された（例えば電力線、ツイストペア、ケーブル、またはＩＥＥＥ  ８０２．１１、Ｂｌｕｅｔｏｏｔｈ、およびＩＥＥＥ  ８０２．１５．４などの短距離無線を用いて）デバイスでよい。
【００３０】
通信システム２００はまた、パーソナル健康機器（ＥＣＧセンサ、血圧センサ、インシュリンポンプ、ＥＭＧセンサなど）、アクティビティモニタデバイス（運動センサ、心拍数センサ、体温センサなど）、情報ガジェット（スマートウォッチ、ポータブルビデオプレーヤ、ポータブル音楽プレーヤなど）などのＷＤを含む。ハブデバイス２２０は通常、ＩＥＥＥ  ８０２．１１、Ｂｌｕｅｔｏｏｔｈ、およびＩＥＥＥ  ８０２．１５．４などの短距離無線技術を用いることによって、ＷＤに対する接続性をもたらす。あるいはハブデバイス２２０は、ＷＤがインターネット２１５に接続することを可能にするように、高密度の場所に展開された専用のデバイスでよい。このような状況においてハブデバイス２２０は、家の所有者、高密度の場所で接続性をもたらす責任をもつエンティティ、通信システムのオペレータ、有料で接続性をもたらすプロバイダ、クレジットまたは割引のために接続性をもたらすことに関心がある通信システム加入者などによって展開され得る。
【００３１】
多くのウェアラブルデバイス、センサ、およびモノのインターネット（ＩｏＴ）デバイスは電池電力で動作する。従ってこれらのデバイス上のＲＣＭは、低い電力消費を有することが望ましい。
【００３２】
図３は、低電力ウェイクアップ無線（ＬＰ−ＷＵＲ）を有する例示のＩＥＥＥ  ８０２．１１通信システム３００を示す。通信システム３００は、送信デバイス３０５および受信デバイス３１０を含む。送信デバイス３０５は他のものの中でも、強化型８０２．１１  ＲＣＭ（「８０２．１１＋」とラベル付けされる）３０７を含む。強化型８０２．１１  ＲＣＭ３０７は、ＩＥＥＥ  ８０２．１１標準シグナリング、およびウェイクアップパケットの送信を含むＬＰ−ＷＵＲシグナリングを利用して通信する能力を有する。ウェイクアップパケットの少なくともペイロード部分は、ＩＥＥＥ  ８０２．１１標準シグナリングよりずっと狭いチャネル帯域幅を通して送信され得る。例えばＩＥＥＥ  ８０２．１１標準シグナリングは２０ＭＨｚのチャネル帯域幅を通して送信されてよく、ウェイクアップパケットのペイロードは５ＭＨｚ以下のチャネル帯域幅を通して送信され得る。より狭い帯域幅は、受信デバイス３１０内のものなど、対象とする受信器のコストおよび電力消費を削減するために役立ち、これはＬＰ−ＷＵＲを設計するために非常に望ましい。
【００３３】
受信デバイス３１０は、他のものの中でも８０２．１１  ＲＣＭ３１２およびＬＰ−ＷＵＲ３１４を含む。８０２．１１  ＲＣＭ３１２はユーザデータを通信するためのものであるが、ＬＰ−ＷＵＲ３１４はそうではない。従ってＬＰ−ＷＵＲ３１４は通常、送信器をもたない。ＬＰ−ＷＵＲ３１４は、８０２．１１  ＲＣＭ３１２をスリーピングまたはオフモードからウェイクアップするのを補助するために存在する。一般に８０２．１１  ＲＣＭ３１２がオフである（例えばスリーピングモードにある）とき、ＬＰ−ＷＵＲ３１４はオンである。ＬＰ−ＷＵＲ３１４は、８０２．１１  ＲＣＭ３１２に関連付けられたプロセッサによってもたらされる値を記憶するように設計されたメモリ（またはレジスタ）、少なくともウェイクアップパケットのペイロードを受信するように設計された受信器、および受信されたペイロード内の値を、メモリに記憶された値と比較するように設計された比較器を備える。比較器は、受信された値が記憶された値と一致するとき、ウェイクアップ割り込みと呼ばれる信号を生成する。ＬＰ−ＷＵＲ３１４は、ウェイクアップ割り込みを運ぶために用いられる接続を通して８０２．１１  ＲＣＭ３１２に結合され、これは８０２．１１  ＲＣＭ３１２をスリーピングモードからウェイクアップするために、ＬＰ−ＷＵＲ３１４によって用いられ得る。コンピュータサイエンスにおいて割り込みとは高優先度条件、またはプロセッサが実行している現在のプログラムの中断を必要とするイベントについてプロセッサに警告する、プロセッサの外部の信号に対して用いられる用語である。プロセッサは、それの現在のアクティビティを一時停止し、イベントに対処するためのプログラムを実行することによって応答する。中断は一時的でよく、イベントに対処するためのプログラムの実行が終わった後、プロセッサはそれの現在のアクティビティを再開し得る。例えばデータ通信がしばらくないとき、またはスリープコマンドが受信されたとき、８０２．１１  ＲＣＭ３１２に関連付けられたプロセッサは、８０２．１１  ＲＣＭ３１２の内部の電子回路の少なくとも主要な部分をスリーピングモードに設定するプログラムを実行してよく、これは省電力モードまたは電源オフモードとも呼ばれ得る。８０２．１１  ＲＣＭ３１２の電子回路の一部がスリーピングモードにある間、８０２．１１  ＲＣＭ３１２の能力は、８０２．１１  ＲＣＭ３１２がもはやＩＥＥＥ  ８０２．１１標準シグナリングを利用した通信の能力を有しない程度にまでディスエーブルされる。８０２．１１  ＲＣＭ３１２に関連付けられたプロセッサは、８０２．１１  ＲＣＭ３１２の内部の電子回路の電源を入れることによって、ＬＰ−ＷＵＲ３１４によって生成されたウェイクアップ割り込みに応答し、それによってＩＥＥＥ  ８０２．１１標準シグナリングを利用した、それの通信するための能力を再開する。一般にオンまたはアクティブ状態において８０２．１１  ＲＣＭ３１２は、ＬＰ−ＷＵＲ３１４より著しく大きな電力、少なくとも１桁または２桁程度大きな電力を消費するようになる。ＬＰ−ＷＵＲ３１４に対する例示の目標電力消費は、オン時に１００マイクロワット未満である。ＬＰ−ＷＵＲ３１４の受信器は、ウ��イクアップパケットのペイロードの帯域幅と一致した狭い帯域幅、例えば５ＭＨｚ未満を有し、８０２．１１  ＲＣＭのそれとおおよそ等しい受信レンジを有する。
【００３４】
８０２．１１通信を行うとき、送信デバイス３０５はデータパケット３２０などのデータパケットを受信デバイス３１０に送信し、８０２．１１  ＲＣＭ３１２はデータパケットを受信し、処理する。
【００３５】
図３に示されるように受信デバイス３１０は、当初は電力削減された状態にある。受信デバイス３１０が電力消費を削減することができるやり方の１つは、８０２．１１  ＲＣＭ３１２をオフにすると同時に、ＬＰ−ＷＵＲ３１４をオンに保つことである。受信デバイス３１０が、電力削減された状態にあるとき、８０２．１１  ＲＣＭ３１２はオフであり、受信デバイス３１０は８０２．１１データパケットを受信または処理することはできない。
【００３６】
しかしＬＰ−ＷＵＲ３１４はオンのままであり、受信デバイス３１０は、ウェイクアップパケット３２５などのウェイクアップパケットを受信することができる。送信デバイス３０５が受信デバイス３１０に送信するデータを有するが、受信デバイス３１０が電力削減された状態にある状況において、送信デバイス３０５は最初に、例えば８０２．１１＋  ＲＣＭ３０７を用いて、ウェイクアップパケット３２５を受信デバイス３１０に送信する。ウェイクアップパケット３２５はＬＰ−ＷＵＲ３１４によって受信され処理され、ＬＰ−ＷＵＲ３１４は８０２．１１  ＲＣＭ３１２をウェイクアップする。次いで送信デバイス３０５は８０２．１１＋  ＲＣＭ３０７を用いてデータを受信デバイス３１０に送信し、受信デバイス３１０は８０２．１１  ＲＣＭ３１２を用いてデータを受信する。
【００３７】
ハイライト３３０は例示のウェイクアップパケット、例えばウェイクアップパケット３２５の詳細図を示す。ウェイクアップパケットは、プリアンブル３３２およびペイロード３３４を含む。通信システム３００内の８０２．１１準拠デバイスとの適合性を保つために、プリアンブル３３２は、２０ＭＨｚなどの８０２．１１標準シグナリングに準拠するチャネル帯域幅を通して送信される８０２．１１レガシープリアンブルである。ＬＰ−ＷＵＲの受信器帯域幅は通常、プリアンブル３３２などの８０２．１１レガシープリアンブルを受信するためには不十分であるので、プリアンブル３３２はＬＰ−ＷＵＲ３１４などのＬＰ−ＷＵＲによって検出されるようにはならない。代わりにプリアンブル３３２は、レガシー８０２．１１デバイスを対象として、ペイロード３３４の送信時にそれらが送信することを防止する。ペイロード３３４の持続時間を示すために、プリアンブル３３２内のレガシーＳＩＧＮＡＬフィールド（Ｌ−ＳＩＧ）のＬＥＮＧＴＨサブフィールドが用いられる。ペイロード３３４はオンオフキーイング（ＯＯＫ）などの簡単な変調方式を用いて変調され、５ＭＨｚ以下などの、より狭いチャネル帯域幅を通して送信する情報を含む。従ってレガシー８０２．１１デバイスは通常は、ペイロード３３４を検出できるようにならない。しかし、プリアンブル３３２はレガシー８０２．１１標準の帯域幅および信号フォーマットに完全に準拠するので、レガシー８０２．１１デバイスはプリアンブル３３２を検出する能力を有する。従ってプリアンブル３３２を受信するとき、レガシー８０２．１１デバイスは、少なくともＬＥＮＧＴＨ値によって示される持続時間の間、チャネルはビジーとなることを認識し、従ってペイロード３３４がＩＥＥＥ  ８０２．１１標準シグナリングに準拠するかのように、ペイロード３３４の送信の間、送信の試みを一時停止する。ＯＯＫ変調は、比較的小規模な変更によりＯＦＤＭ送信器を用いて実施されてよく、例えば強化型８０２．１１  ＲＣＭ３０７はＯＦＤＭ変調された通信の能力を有するだけでなく、ＯＯＫ変調された波形に準拠した信号を送信する能力も有することに留意されたい。
【００３８】
図４Ａは、例示のウェイクアップパケット４００の詳細図を示す。ウェイクアップパケット４００は、プリアンブル４０５およびペイロード４１０を含む。プリアンブル４０５は８０２．１１技術標準に準拠し、レガシーショートトレーニングフィールド（Ｌ−ＳＴＦ）４０６、レガシーロングトレーニングフィールド（Ｌ−ＬＴＦ）４０７、およびＬ−ＳＩＧ４０８を含む。ペイロード４１０は、ウェイクアッププリアンブル４１１、媒体アクセス制御（ＭＡＣ）ヘッダ（例えば受信器アドレス）４１２、フレームボディ４１３、およびフレームチェックシーケンス（ＦＣＳ）４１４を含む、複数のフィールドを含む。ウェイクアッププリアンブル４１１はウェイクアップシーケンスを含む。ウェイクアップシーケンスは、例えばペイロード４１０の残りのサンプリングおよび検出のためのタイミングを取得するようにＬＰ−ＷＵＲを補助するために、良好な自己相関特性を有する擬似乱数シーケンスでよい。ＭＡＣヘッダ４１２は、ウェイクアップパケット４００がウェイクアップする対象の、受信デバイスのアドレスを含む。受信デバイスのアドレスは、受信デバイスの識別子と呼ばれることもある。フレームボディ４１３は他の情報を含み得る。ＦＣＳ４１４は、ウェイクアップパケット４００の完全性チェックのための巡回冗長検査（ＣＲＣ）を含む。
【００３９】
図４Ｂは例示のウェイクアップパケット４５０を示す。図４Ｂに示されるように各ビットはＯＦＤＭシンボル期間に等しく、これは２５０ｋｂｐｓの合計データレートに対して４マイクロ秒である。
【００４０】
多くの今日のデバイスは複数のＲＣＭを有し、各無線は例えば異なるカバレージおよび／または異なるデータレートを有し得る。例示的な例としていくつかのデバイスは、それぞれが異なる周波数帯域（２．４ＧＨｚ、５ＧＨｚ、６０ＧＨｚ、およびサブ１ＧＨｚなど）で動作し、異なるカバレージを有し、または異なるデータレートの範囲をサポートする、複数の８０２．１１  ＲＣＭ（または少なくとも複数の無線周波数（ＲＦ）フロントエンド）を有する。他の例示的な例として、いくつかのデバイスは８０２．１１、Ｂｌｕｅｔｏｏｔｈ、８０２．１５．４／ＺｉｇＢｅｅ、３ＧＰＰ  ＬＴＥ、ライセンス支援アクセス（ＬＡＡ）、ＭｕＬＴＥＦｉｒｅなど、異なる無線アクセス技術（ＲＡＴ）のための複数のＲＣＭが装備され得る。異なる状況のもとで異なるＲＡＴが用いられてよく、例えばＢｌｕｅｔｏｏｔｈは完全にウェイクアップされたとき、狭いカバレージエリア、低いデータレート、および低い電力消費を有し、一方８０２．１１は完全にウェイクアップされたとき、より大きなカバレージエリア、より高いデータレート、およびより高い電力消費を有する。
【００４１】
ＲＣＭ上でアクティビティがないとき、ＲＣＭはオフになることができ、結果として削減された電力消費を生じる。オフになることができるＲＣＭが多いほど、電力消費における削減は大きくなる。しかしオンである複数のＬＰ−ＷＵＲ（例えば各ＲＣＭごとに１つ）を有することは、結果として不必要な電力消費を生じる。さらに送信および受信デバイスの実装形態に複雑さが加わる。
【００４２】
図５は、送信および受信デバイスの両方におけるＬＰ−ＷＵ無線に重点を置いた例示の通信システム５００を示す。通信システム５００は、送信デバイス（ＴＤ）５０５および受信デバイス（ＲＤ）５１０を含む。例としてペンディングデータがダウンリンク送信であるとき、ＴＤはアクセスポイント（ＡＰ）でよく、ＲＤはステーションでよく、一方ペンディングデータがアップリンク送信であるとき、ＴＤはステーションでよく、ＲＤはＡＰでよい。あるいはＴＤは、ピアツーピア通信を用いてＲＤと通信するピアステーションでよい。図５に示されるようにＴＤ５０５は、ＲＣＭ５１５、５２０、および５２５などの３つのＲＣＭを含む。３つＲＣＭのそれぞれは、それぞれウェイクアップ送信器５１７、５２２、および５２７などのウェイクアップ送信器を含む。ＴＤ５０５が特定のＲＡＴ上にＲＤ５１０に対する送信を有するとき、ＴＤ５０５は最初に、ＲＡＴのＲＣＭに関連付けられたウェイクアップ送信器を用いて、ウェイクアップ信号（ウェイクアップパケットの形で）を送信し、次いで１つまたは複数のデータパケットをＲＡＴのＲＣＭを用いてＲＤ５１０に送信する。例示的な例としてＴＤ５０５がＲＣＭ５２０に関連付けられたＲＡＴ上にＲＤ５１０に対する送信を有する場合、ＴＤ５０５はウェイクアップ送信器５２２を用いてＲＤ５１０を宛先とするウェイクアップ信号を送信し、次いでＲＣＭ５２０を用いて１つまたは複数のデータパケットをＲＤ５１０に送信する。ＲＤ５０５およびＴＤ５１０の構成は、各ＲＣＭペアのために異なるウェイクアップ送信器およびウェイクアップ受信器が用いられることを必要とする。従ってウェイクアッププロセスの実施は、不必要に複雑になり得る。
【００４３】
例示の実施形態によれば、デバイスの複数のＲＣＭのうちの１つまたは複数のＲＣＭをウェイクアップするためのシステムおよび方法が提示される。本明細書で論じられるシステムおよび方法は、補助的無線受信器（ウェイクアップ受信器）を有する第１のデバイス（例えばＲＤ）をもたらし、ウェイクアップ受信器は、対応するウェイクアップ信号を第２のデバイス（例えばＴＤ）から受信するとすぐに、第１のデバイスが第１のＲＣＭを用いて第２のデバイスと通信するために、第１のデバイスの複数のＲＣＭのうちの第１のＲＣＭをウェイクアップする。複数のＲＣＭは、８０２．１１（Ｗｉ−Ｆｉ）モジュール、Ｂｌｕｅｔｏｏｔｈモジュール、８０２．１５．４（ＺｉｇＢｅｅ）モジュール、３ＧＰＰ  ＬＴＥモジュール、ＬＡＡモジュール、またはＭｕＬＴＥＦｉｒｅモジュールの少なくとも１つを含む。複数のＲＣＭは、２．４ＧＨｚ、５ＧＨｚ、６０ＧＨｚ、サブ１ＭＨｚ、３．５ＧＨｚ、２ＧＨｚ、および１．８ＧＨｚ周波数帯域の少なくとも１つにおいて動作する。ウェイクアップ受信器は、アクティブまたはオンの間、複数のＲＣＭのいずれの１つよりも著しく少ない電力を消費する。
【００４４】
例示の実施形態によれば、複数のＲＣＭのどの１つをウェイクするかに関する決定はＴＤによってなされ、これはまたＲＤをウェイクアップする。ＴＤはＲＤに、ＲＤの複数のＲＣＭのどれをウェイクアップするかを示す。ＴＤはＲＤにサーブするＡＰでよく、またはＲＤと通信するピアステーションでよい。複数のＲＣＭのどの１つをウェイクするかに関する決定は、ＴＤの複数のＲＣＭの１つ、またはＴＤのプロセッサによってなされ得る。決定は、電力消費要件（ウェイクアップされた場合のＲＤの各ＲＣＭの電力消費と比較した）、レイテンシ要件（ＲＤの各ＲＣＭをウェイクアップすることに関連付けられたレイテンシと比較した）、予想されるデータ送信のＱｏＳ要件（ＲＤのＲＣＭのそれぞれによってサポートされるＱｏＳと比較した）、レンジ要件（例えばＴＤとＲＤとの間の推定されるレンジは、ウェイクアップされた場合のＲＤの各ＲＣＭによってサポートされる通信レンジと比較される）、ＴＤに到着したおよびＲＤを目標とするデータの発生源（例えばデータがＬＴＥコアネットワークから来ているか、それともローカルエリアネットワーク（ＬＡＮ）か）、履歴および使用情報などの判定基準に基づいてなされ得る。
【００４５】
例示の実施形態によればＴＤは、ウェイクアップ信号において、ウェイクアップするＲＤのＲＣＭを明示的に示す。ＴＤはウェイクアップ信号において、異なるウェイクアッププリアンブルまたはアドレスを用いて、ＲＤの複数のＲＣＭのどの１つをウェイクアップするかを示し得る。ＴＤは、ＲＤの複数のＲＣＭのどの１つをウェイクアップするかのインジケーションとして、ウェイクアップ信号内のインジケーションフィールドを用い得る。例えばインジケーションフィールドはウェイクアップ信号の、フレームボディ４１３などのフレームボディ内に配置され得る。テーブル１は、インジケーションビットの値の、対応するＲＣＭへの例示のマッピングを示す。インジケーションビットの値の、それらの対応するＲＣＭへのマッピングは標準化されてよく（例えばテーブル１に示されるように）、その結果ＲＤは、受信されたインジケーションビットおよび標準化されたマッピングを用いて、ＲＤのどのＲＣＭがウェイクアップされることになるかを決定し得る。しかし異なる周波数帯域と相まって、多くの異なるＲＡＴの利用可能性により、多数のインジケーションビットが必要となり得る。
【００４６】
【表１】
2019527982.tif 000003
【００４７】
代替的な例示の実施形態によれば、ＴＤおよびＲＤは、インジケーションビットの値と、対応するＲＣＭとの間のマッピングを、ネゴシエートおよび／または構成する。ＴＤおよびＲＤは、ウェイクアップ信号を送る前に、例えばＴＤとＲＤとの間の関連付け手順または構成手順の間に、ＴＤおよびＲＤにとって利用可能な複数のＲＣＭの１つの間の通信を利用して、インジケーションビットの値と、対応するＲＣＭとの間のマッピングをネゴシエートおよび／または構成し得る。従ってインジケーションビットの値と、それらの対応するＲＣＭとの間のマッピングはペア固有（ＴＤ−ＲＤペアの間で）であり、この場合少数のインジケーションビットで十分となり得る。ＴＤ−ＲＤペア固有マッピングは、インジケーションビットの値と、ＲＤの対応するＲＣＭとの間の１対１マッピングを有するテーブルとして示されることができる。マッピングはＴＤ−ＲＤペア固有であるので、ＴＤは例えばＴＤと、ＲＤのそれぞれとの間の関連付け手順または構成手順の間に、ＴＤと、ＲＤのそれぞれとの間で通信される構成メッセージに含まれるマッピングフィールドにおいて、ペア固有マッピング情報を、ＴＤがサーブするＲＤのそれぞれにもたらし得る。特定のＴＤ−ＲＤペアのＲＤがそれのウェイクアップ信号を受信した後、それは受信されたウェイクアップ信号に含まれたインジケーションビット、およびＴＤ−ＲＤペア固有マッピング情報を用いて、ＲＤのどのＲＣＭがウェイクアップされることになるかを決定する。
【００４８】
あるいはマッピングは、以下の２つのテーブルなどの、複数のテーブルを用いた２ステップマッピングとして示され得る。第１のテーブル、例えばテーブル２は、インジケーションビットの値（マッピングインジケータ）の、対応するＲＣＭインデックスへの例示のマッピングを示し、このマッピングは、すべてのＴＤ−ＲＤペアが第１のテーブルに示されるのと同じマッピングに従うように標準化され得る。言い換えれば第１のテーブルはマッピングインジケータ値の、ＲＣＭインデックスへのマッピングをもたらす。第２のテーブル、例えばテーブル３は、ＲＣＭインデックスの、対応するＲＣＭへの例示の予め構成されたマッピングを示し、このマッピングは特定のＴＤ−ＲＤペアの間で、それらのそれぞれのＲＣＭを用いて予め構成される。この状況において特定のＴＤ−ＲＤペアのＲＤがそれのウェイクアップ信号を受信した後、ＲＤは受信されたインジケーションビット、ならびにテーブル２および３でのマッピングを一緒に用いて、ＲＤのどのＲＣＭがウェイクアップされることになるかを決定する。例示的な例として、受信されたインジケーションビットが値「１」を示す場合、ＲＤは第１のテーブルを用いて、ＲＣＭ２をウェイクアップすることであると決定し、これは第２のテーブルに示されるようにＷｉ−Ｆｉ  ２．４ＧＨｚのためのＲＣＭである。
【００４９】
【表２】
2019527982.tif 000004
【００５０】
【表３】
2019527982.tif 000005
【００５１】
図６は、ウェイクアップ信号におけるウェイクアップするＲＣＭのインジケーションに重点を置いた、第１の例示の通信システム６００を示す。通信システム６００は、ＴＤ６０５およびＲＤ６１０を含む。ＴＤ６０５は、ＲＣＭ６１５、６２０、および６２５を含む、複数のＲＣＭを含む。各ＲＣＭは、それぞれウェイクアップ送信器６１７、６２２、および６２７を含む、ウェイクアップ送信器を含む。ウェイクアップ送信器６１７、６２２、および６２７の各ウェイクアップ送信器は、ＯＦＤＭ変調された信号を用いた通信のために用いられるＲＣＭ６１５、６２０、および６２５の各ＲＣＭの正規の送信器および受信器とは相異なる物理的に別個のＯＯＫ送信器として実施され得る。あるいは前に論じられたように、ＯＯＫ変調されたウェイクアップ信号の送信は、任意のＯＦＤＭ送信器において容易に実施されることができるので、その結果ウェイクアップ送信器６１７、６２２、および６２７などのウェイクアップ送信器は、ＯＦＤＭ変調された信号を送信する能力を有するあらゆる送信器において実施される単なる論理機能でよい。従って各ＲＣＭ内にウェイクアップ送信器を含めることは、例示の実施形態の範囲および趣旨のいずれをも限定するものと解釈されるべきではない。図６に示されるように、ＴＤ６０５はＲＤ６１０が電力削減された状態にあるとき、ＲＤ６１０に送られることになるデータを有する。従ってＴＤ６０５の中央プロセッサなどのＴＤ６０５内のプロセッサ、またはＲＣＭ６２５のプロセッサは最初に、ウェイクアップ信号をＲＤ６１０に送信するように、ウェイクアップ送信器６２７を構成する（イベント６６０として示される）。
【００５２】
ＲＤ６１０は、ＲＣＭ６３０、６３５、および６４０を含む、複数のＲＣＭを含む。ＲＤ６１０はまた、ウェイクアップ受信器６４５およびスイッチ６５０を含む。スイッチ６５０は論理エンティティでよく、ウェイクアップ受信器６４５の一部、またはＲＤ６１０内のプロセッサの一部として実施され得る。あるいはスイッチ６５０は、別個のエンティティでよい。スイッチ６５０は、ウェイクアップ受信器６４５が電源オンされるとき、電源オンされる。ウェイクアップ受信器６４５は、ＲＤ６１０を宛先とするウェイクアップ信号を受信し、処理する能力を有する。ウェイクアップ受信器６４５がウェイクアップ信号を受信し、ウェイクアップ信号はＲＤ６１０を対象とすると決定したとき（例えばＭＡＣヘッダ４１２に含まれた受信器アドレス（または識別子）など、受信されたウェイクアップ信号内のアドレス（または識別子）が、ＲＤ６１０に割り当てられたアドレス（または識別子）と一致するとき）、ウェイクアップ割り込みが生成され（イベント６６５として示される）、さらなる処理（例えば前に述べられたようなテーブル１、ＴＤ−ＲＤペア固有マッピングテーブル、またはテーブル２〜３、複数ステップマッピングプロセスに従った、ウェイクアップ信号内のインジケーションビットの処理）が行われて、どのＲＣＭをウェイクアップするかを決定する。言い換えればウェイクアップ信号は、ウェイクアップ信号に含まれるアドレスがＲＤ６１０のアドレスと同じであるとき、ＲＤ６１０を対象とする。
【００５３】
ウェイクアップ受信器６４５は、指示されたＲＣＭ（例えば図６に示されるようなＲＣＭ６４０）をウェイクアップするために、ウェイクアップ割り込みをアサートするようにスイッチ６５０を構成する。スイッチ６５０は、デマルチプレクサなどのハードウェアスイッチとして、またはソフトウェアにおいて、またはハードウェアとソフトウェアの組み合わせとして実施され得る。ウェイクアップ割り込みは、ＲＤ６１０の中央プロセッサ、またはＲＣＭ６４０のプロセッサに、ＲＣＭ６４０の電源を入れるためのプログラムを実行させることによって、ＲＣＭ６４０をウェイクアップし得る。最終的にＲＤ６１０は、ＴＤ６０５からデータを受信することを含み、および場合によっては肯定応答、応答、またはフォローアップメッセージもしくはデータをＴＤ６０５に送信することを含み、ＲＣＭ６４０を用いたＴＤ６０５とのデータ交換（図６でイベント６７０として示される）を完了する。データ交換（イベント６７０）の完了の後、ＲＤ６１０はさらなる通信アクティビティがないことを決定してよく、またはＲＤ６１０はスリープするためのコマンドをＴＤ６０５から受信し得る。従ってＲＤ６１０は、ＲＣＭ６４０および関連付けられたプロセッサを元のスリープモードに設定すると同時に、ウェイクアップ受信器６４５およびスイッチ６５０をオンに戻すように切り換えることによって、電力削減された状態を再開し得る。ＲＤ６１０は電力をより節約するように、ＲＣＭ６４０がオンにされるとき、ウェイクアップ受信器６４５およびスイッチ６５０を一時的にオフにすることがある。複数のＲＣＭ内のＲＣＭのいずれかをウェイクアップするためには、ウェイクアップ受信器６４５などの単一のウェイクアップ受信器を電源オンにする必要があるだけであり、それによって実施を簡略化し、電力消費をさらに削減することに留意されたい。
【００５４】
図７は、ウェイクアップ信号におけるウェイクアップするＲＣＭのインジケーションに重点を置いた、第２の例示の通信システム７００を示す図である。通信システム７００は、ＴＤ７０５およびＲＤ７１０を含む。ＴＤ７０５は、ＲＣＭ７１５、７２０、および７２５を含む、複数のＲＣＭを含む。ＴＤ７０５はまたウェイクアップ送信器７３０を含む。ウェイクアップ送信器７３０は、ＴＤ７０５内の個別の無線として実施され得る。あるいはウェイクアップ送信器７３０は、例えばＯＯＫ変調されたウェイクアップ信号を送信するために、ＴＤ７０５のＲＣＭの１つにおけるＯＦＤＭ送信器を利用することによって、ＴＤ７０５のＲＣＭの１つの一部として実施され得る。ＲＤ７１０が電力削減された状態にある間に、ＴＤ７０５がデータをＲＤ７１０に送信する必要があるとき、ＴＤ７０５は、最初にウェイクアップ信号をＲＤ７１０に送信（図７でイベント７６０として示される）するように、ウェイクアップ送信器７３０を構成する。ＲＤ７１０は、ＲＣＭ７３５、７４０、および７４５を含む、複数のＲＣＭを含む。ＲＤ７１０はまた、ウェイクアップ受信器７５０およびスイッチ７５５を含む。ウェイクアップ受信器７５０は、ＲＤ７１０を宛先とするウェイクアップ信号を受信し、処理する能力を有する。ウェイクアップ受信器７５０がウェイクアップ信号を受信し、ウェイクアップ信号はＲＤ７１０を対象とすると決定したとき（例えばウェイクアップ信号に含まれるアドレスは、ＲＤ７１０のアドレスに等しいと決定することによって）、ウェイクアップ割り込みが生成され（図７でイベント７６５として示される）、さらなる処理（例えば前に述べられたようなテーブル１、ＴＤ−ＲＤペア固有マッピングテーブル、またはテーブル２〜３、複数ステップマッピングプロセスに従った、ウェイクアップ信号内のインジケーションビットの処理）が行われて、どのＲＣＭをウェイクアップするかを決定する。ウェイクアップ受信器７５０は、指示されたＲＣＭ（例えば図７に示されるようなＲＣＭ７４５）をウェイクアップするために、ウェイクアップ割り込みをアサートするようにスイッチ７５５を構成する。ＲＣＭ７４５をウェイクアップした後にＲＤ７１０は、ＲＣＭ７４５を用いてＴＤ７０５とのデータ交換（図７でイベント７７０として示される）を完了し得る。最終的にＲＤ７１０は、ＲＣＭ７４５および関連付けられたプロセッサを元のスリープモードに設定すると同時に、ウェイクアップ受信器７５０およびスイッチ７５５をオンに戻すように切り換えることによって、電力削減された状態を再開し得る。複数のＲＣＭ内のＲＣＭのいずれかをウェイクアップするためには、ウェイクアップ受信器７５０などの単一のウェイクアップ受信器を電源オンにする必要があるだけであることに留意されたい。
【００５５】
例示の実施形態によればＴＤおよびＲＤは、ウェイクアップ信号の送信および受信の前、例えば現在のウェイクアップイベントの間（すなわちＲＤのＲＣＭが覚醒している間）に、ウェイクアップ信号を受信する将来のイベントにおいて、どのＲＣＭをウェイクアップするかを構成する。このような事前構成は、どのＲＣＭをウェイクアップするかを、例えばウェイクアップ信号において明示的に示す必要性をなくする。例えばテーブル１および２で述べられたインジケーションビットフィールドは、ウェイクアップ信号から除去されてよく、ウェイクアップ信号の送信および受信の前に、ＴＤとＲＤとの間の構成メッセージに含められ得る。ＴＤおよびＲＤは、ＲＤにおけるＲＣＭがオンの間に、例えばウェイクアップイベントの間に（すなわちＲＣＭがウェイクアップされるイベントの間に）、ＴＤおよびＲＤにおいて利用可能なＲＣＭの任意のペアの間の通信を用いて、どのＲＣＭをウェイクアップするかを構成する。ＯＯＫ変調された信号はノイズおよび干渉に非常に弱いので、ウェイクアップ信号からインジケーションビットフィールドを取り除くことは、ウェイクアップ信号を検出することにおけるエラー確率を低減するのに役立つ。およびＲＣＭの間の通信は先進型の変調および符号化方式（ＭＣＳ）を用い、および構成メッセージの受信を確認するために明示的な肯定応答が請求され得るので、構成メッセージにインジケーションフィールドを含めることは結果として、一致したウェイクアップ信号を受信した場合に、どのＲＣＭをウェイクアップするかを示す、より信頼性のあるやり方となる。インジケーションビットフィールドをウェイクアップ信号から、ＲＣＭの間の通信を用いた構成メッセージに移動することはまた、シグナリングオーバーヘッドを削減するのに役立ち、なぜならウェイクアップ信号は、ＲＣＭの間の通信を用いた構成メッセージと比べてより頻繁にかつ、より低いデータレートで送信されるからである。構成は、ＲＤのウェイクアップ受信器のメモリなど、ＲＤ内のメモリに記憶されてよく、ウェイクアップ割り込みを転送するようにスイッチを構成するために用いられる。
【００５６】
図８は、ウェイクアップ信号を受信した場合に、ウェイクアップするようにＲＣＭを構成することに重点を置いた、第１の例示の通信システム８００を示す。通信システム８００は、ＴＤ８０５およびＲＤ８１０を含む。ＴＤ８０５は、ＲＣＭ８１５、８２０、および８２５を含む、複数のＲＣＭを含む。各ＲＣＭは、ウェイクアップ送信器８１７、８２２、および８２７を含む、ウェイクアップ送信器を含む。ウェイクアップ送信器８１７、８２２、および８２７のそれぞれは、ＯＦＤＭ変調された信号を用いた通信のために用いられるＲＣＭ８１５、８２０、および８２５の各ＲＣＭの正規の送信器および受信器とは相異なる物理的に別個のＯＯＫ送信器として実施され得る。あるいはウェイクアップ送信器８１７、８２２、および８２７のそれぞれは、ＲＣＭ８１５、８２０、および８２５においてＯＦＤＭ変調された信号を送信する能力を有する各正規の送信器において実施される単なる論理機能でよい。従って各ＲＣＭ内にウェイクアップ送信器を含めることは、例示の実施形態の範囲および趣旨のいずれをも限定するものと解釈されるべきではない。ＲＤ８１０は、ＲＣＭ８３０、８３５、および８４０を含む、複数のＲＣＭを含む。ＲＤ８１０はまた、ウェイクアップ受信器８４５およびスイッチ８５０を含む。
【００５７】
ＴＤ８０５およびＲＤ８１０は、ＲＣＭ８２５およびＲＣＭ８４０などのＲＣＭを用いて通信して、一致したウェイクアップ信号を受信した場合にウェイクアップするようにＲＣＭを構成する（イベント８６０として示される）。構成は、ＴＤ８０５とＲＤ８１０との間のネゴシエーションの結果でよい。構成はスイッチ８５０が、構成されたＲＣＭをウェイクアップするためにウェイクアップ割り込みをアサートするように構成されるようにする（イベント８６５として示される）。例示的な例としてＲＣＭ８３５は、ウェイクアップ信号を受信した場合にウェイクアップするように構成される。構成されたＲＣＭがＴＤ８０５のＲＣＭの１つに適合する限り、ＲＤ８１０のいずれのＲＣＭも、ウェイクアップするＲＣＭとなるように構成され得る。構成が完了した後にＲＤ８１０は、ＲＣＭ８３０、８３５、および８４０をスリーピングモードに設定し、かつウェイクアップ受信器８４５およびスイッチ８５０を電源オンにすることによって、電力削減された状態に入り得る。その後、ＴＤ８０５はウェイクアップ信号をＲＤ８１０に送信し（イベント８７０として示される）、ウェイクアップ受信器８４５は、ウェイクアップ信号はＲＤ８１０を対象とすると決定し（例えばウェイクアップ信号に含まれるアドレスは、ＲＤ８１０のアドレスに等しいと決定することによって）、ウェイクアップ割り込みを生成する（イベント８７５として示される）。ウェイクアップ割り込みは、構成されたＲＣＭをウェイクアップするように、構成されたＲＣＭ（この例ではＲＣＭ８３５）に転送される。ＲＣＭ８３５をウェイクアップした後にＲＤ８１０は、ＲＣＭ８３５を用いてＴＤ８０５とのデータ交換（イベント８８０として示される）を完了し得る。最終的にＲＤ８１０は、ＲＣＭ８３５および関連付けられたプロセッサを元のスリーピングモードに設定すると同時に、ウェイクアップ受信器８４５およびスイッチ８５０をオンに戻すように切り換えることによって、電力削減された状態を再開し得る。複数のＲＣＭ内のＲＣＭのいずれかをウェイクアップするためには、ウェイクアップ受信器８４５などの単一のウェイクアップ受信器を電源オンにする必要があるだけであることに留意されたい。
【００５８】
図９は、ウェイクアップ信号を受信した場合にウェイクアップするようにＲＣＭを構成することに重点を置いた、第２の例示の通信システム９００を示す。通信システム９００は、ＴＤ９０５およびＲＤ９１０を含む。ＴＤ９０５は、ＲＣＭ９１５、９２０、および９２５を含む、複数のＲＣＭを含む。ＴＤ９０５はまたウェイクアップ送信器９３０を含む。ウェイクアップ送信器９３０は、ＴＤ９０５内の個別の無線として実施され得る。あるいはウェイクアップ送信器９３０は、例えばＯＯＫ変調されたウェイクアップ信号を送信するために、ＴＤ９０５のＲＣＭの１つにおけるＯＦＤＭ送信器を利用することによって、ＴＤ９０５のＲＣＭの１つの一部として実施され得る。ＲＤ９１０は、ＲＣＭ９３５、９４０、および９４５を含む、複数のＲＣＭを含む。ＲＤ９１０はまた、ウェイクアップ受信器９５０およびスイッチ９５５を含む。ウェイクアップ受信器９５０は、ＲＤ９１０を宛先とするウェイクアップ信号を受信し、処理する能力を有する。
【００５９】
ＴＤ９０５およびＲＤ９１０は、ＲＣＭ９２５およびＲＣＭ９４５などのＲＣＭを用いて通信して、一致したウェイクアップ信号を受信した場合にウェイクアップするようにＲＣＭを構成する（イベント９６０として示される）。構成はスイッチ９５０が、構成されたＲＣＭをウェイクアップするためにウェイクアップ割り込みをアサートするように構成されるようにする（イベント９６５として示される）。例示的な例としてＲＣＭ９４０は、ウェイクアップ信号を受信した場合にウェイクアップするように構成される。構成されたＲＣＭがＴＤ９０５のＲＣＭの１つに適合する限り、ＲＤ９１０のいずれのＲＣＭも、ウェイクアップするＲＣＭとなるように構成され得る。構成が完了した後にＲＤ９１０は、ＲＣＭ９３５、９４０、および９４５をスリーピングモードに設定し、かつウェイクアップ受信器９５０およびスイッチ９５５を電源オンにすることによって、電力削減された状態に入り得る。その後、ＴＤ９０５はウェイクアップ信号をＲＤ９１０に送信し（イベント９７０として示される）、ウェイクアップ受信器９５０は、ウェイクアップ信号はＲＤ９１０を対象とすると決定し（例えばウェイクアップ信号に含まれるアドレスは、ＲＤ９１０のアドレスに等しいと決定することによって）、ウェイクアップ割り込みを生成する（イベント９７５として示される）。ウェイクアップ割り込みは、構成されたＲＣＭをウェイクアップするように、構成されたＲＣＭ（この例ではＲＣＭ９４０）に転送される。ＲＣＭ９４０をウェイクアップした後にＲＤ９１０は、ＲＣＭ９４０を用いてＴＤ９０５とのデータ交換（イベント９８０として示される）を完了し得る。最終的にＲＤ９１０は、ＲＣＭ９４０および関連付けられたプロセッサを元の深いスリープモードに設定すると同時に、ウェイクアップ受信器９５０およびスイッチ９５５をオンに戻すように切り換えることによって、電力削減された状態を再開し得る。複数のＲＣＭ内のＲＣＭのいずれかをウェイクアップするためには、ウェイクアップ受信器９５０などの単一のウェイクアップ受信器を電源オンにする必要があるだけであることに留意されたい。
【００６０】
例示の実施形態によれば、複数のＲＣＭのどの１つをウェイクするかに関する決定はＲＤによってなされる。決定は複数のＲＣＭの１つによってなされ得る。あるいはＲＤのプロセッサが決定を行い得る。決定は、電力消費要件（ウェイクアップされた場合のＲＤの各ＲＣＭの電力消費と比較した）、レイテンシ要件（ＲＤの各ＲＣＭをウェイクアップすることに関連付けられたレイテンシと比較した）、予想されるデータ送信のＱｏＳ要件（ＲＤのＲＣＭのそれぞれによってサポートされるＱｏＳと比較した）、ＴＤとＲＤとの間の推定されるレンジ（ウェイクアップされた場合のＲＤの各ＲＣＭによってサポートされる通信レンジと比較した）、履歴および使用情報などの判定基準に基づいてなされ得る。例えばＲＤは、省電力を強調した方策をとってよく、ＲＤは常に最初に、ＢｌｕｅｔｏｏｔｈをベースとするＲＣＭなどアクティブであるときに、より小さなカバレージおよびより低い電力消費を有する第１のＲＣＭをウェイクアップし、第１のＲＣＭを用いてＴＤと接触をすることを試みる。第１のＲＣＭがＴＤと接触をすることに失敗した（例えば特定の時間内にＴＤから応答を受信できなかった）とき、ＲＤは、Ｗｉ−ＦｉをベースとするＲＣＭなど、アクティブであるときにより大きなカバレージおよびより高い電力消費を有する第２のＲＣＭをウェイクアップし、第２のＲＣＭを用いてＴＤと接触をすることを試みるというように、ＲＤがＴＤとの通信に成功できるまで続く。ＲＤは、ＲＣＭのどの１つが覚醒されているかをＴＤに示す。インジケーションは、例えばＲＣＭがウェイクアップされた後に、ウェイクアップされたＲＣＭを用いて信号としてＴＤに送信され得る。ＴＤは、ウェイクアップされているＲＤにおけるＲＣＭに適合する、アクティブなＲＣＭを有することが想定される。
【００６１】
図１０はＲＤが、どのＲＣＭをウェイクアップするかを決定することに重点を置いた、例示の通信システム１０００を示す。通信システム１０００は、ＴＤ１００５およびＲＤ１０１０を含む。ＴＤ１００５は、ＲＣＭ１０１５、１０２０、および１０２５を含む、複数のＲＣＭを含む。ＴＤ１００５はまたウェイクアップ送信器１０３０を含む。ウェイクアップ送信器１０３０は、ＴＤ１００５内の個別の無線として実施され得る。あるいはウェイクアップ送信器１０３０は、例えばＯＯＫ変調されたウェイクアップ信号を送信するために、ＴＤ１００５のＲＣＭの１つにおけるＯＦＤＭ送信器を利用することによって、ＴＤ１００５のＲＣＭの１つの一部として実施され得る。ＲＤ１０１０は、ＲＣＭ１０３５、１０４０、および１０４５を含む、複数のＲＣＭを含む。ＲＤ１０１０はまた、ウェイクアップ受信器１０５０およびスイッチ１０５５を含む。ウェイクアップ受信器１０５０は、ＲＤ１０１０を宛先とするウェイクアップ信号を受信し、処理する能力を有する。
【００６２】
ＲＤ１０１０は当初は、ＲＣＭ１０３５、１０４０、および１０４５がオフ、ならびにウェイクアップ受信器１０５０およびスイッチ１０５５が電源オンの状態で、電力削減された状態にある。ＴＤ１００５は、ウェイクアップ信号をＲＤ１０１０に送信する（イベント１０６０として示される）。ウェイクアップ受信器１０５０はウェイクアップ信号を受信し処理し、ウェイクアップ信号はＲＤ１０１０を対象とすることを検証する（例えばＭＡＣヘッダ４１２内の受信器アドレスなど、受信されたウェイクアップ信号内のアドレスが、ＲＤ１０１０に割り当てられたアドレスと一致する（または等しい）とき）。次いでウェイクアップ受信器は、ウェイクアップ割り込みを生成する（イベント１０６５として示される）。ＲＤ１０１０は、どのＲＣＭをウェイクアップするかを決定する。スイッチ１０５５は、ＲＤ１０１０がウェイクアップすると決定したＲＣＭをウェイクアップするためにウェイクアップ割り込みをアサートするための、ＲＤ１０１０のプロセッサによって行われる論理機能でよい。図１０に示されるようにＲＤ１０１０は、ＲＤ１０１０の判定基準を最も良く満たし得る、ＲＣＭ１０４０をウェイクアップする。ＲＤ１０１０は、ＲＣＭ１０４０がウェイクアップされた旨のインジケーションを、ＲＣＭ１０４０を用いてＴＤ１００５に送信する（イベント１０７０として示される）。しかしＲＤ１０１０は、ＴＤ１００５から応答を受信しない（応答はＴＤ１００５からのデータ送信、またはＴＤ１００５からの特定の応答メッセージでよい）。例示的な例としてＲＣＭ１０４０は、Ｂｌｕｅｔｏｏｔｈ、ＺｉｇＢｅｅなどの短距離ＲＡＴのための無線モジュールでよく、ＲＣＭ１０４０を用いた送信はＴＤ１００５に到達する能力をもたない。従ってＲＤ１０１０は、より大きなカバレージを有するＲＣＭを選択し得る。ＴＤ１００５から応答は受信されていないので（例えばタイムアウトの後）、別のＲＣＭ（ＲＣＭ１０３５）がウェイクアップされる（イベント１０７５として示される）。例として、図１０に示されるようにＲＣＭ１０４０は、ＲＣＭ１０３５をウェイクアップし得る。他の例としてＲＤ１０１０のプロセッサは、ＲＣＭ１０４０から不成功またはタイムアウトのインジケーションを受信した後、ＲＣＭ１０３５をウェイクアップし得る。ＲＤ１０１０は、ＲＣＭ１０３５がウェイクアップされた旨のインジケーションを、ＲＣＭ１０３５を用いてＴＤ１００５に送信する（イベント１０８０として示される）。この場合ＲＤ１０１０は、データ送信の形でＴＤ１００５から応答を受信する（イベント１０８５として示される）。複数のＲＣＭ内のＲＣＭのいずれかをウェイクアップするためには、ウェイクアップ受信器１０５０など単一のウェイクアップ受信器が電源オンされることだけが必要であることに留意されたい。
【００６３】
実施形態によればＴＤは、ＲＤによってウェイクアップされたＲＣＭが、ＴＤの好ましいＲＡＴに関連付けられていない場合、好ましいＲＡＴに切り換えるようにＲＤにリダイレクトする。図１０に示される例示の実施形態において、ＲＤによってウェイクアップされたＲＣＭが、ＴＤの好ましいＲＡＴに関連付けられていない場合、ＴＤは代替のＲＣＭを選択するようにＲＤにリダイレクトすることができる。例示的な例としてＴＤからのリダイレクションは、ＲＤから受信された、ＲＣＭがウェイクアップされたことを示すインジケーションに応答して、ＲＤに送信される。
【００６４】
図１１は、ＴＤによるリダイレクションに重点を置いた例示の通信システム１１００を示す。通信システム１１００は、ＴＤ１１０５およびＲＤ１１１０を含む。ＴＤ１１０５は、ＲＣＭ１１１５、１１２０、および１１２５を含む、複数のＲＣＭを含む。ＴＤ１１０５はまたウェイクアップ送信器１１３０を含む。ＲＤ１１１０は、ＲＣＭ１１３５、１１４０、および１１４５を含む、複数のＲＣＭを含む。ＲＤ１１１０はまた、ウェイクアップ受信器１１５０およびスイッチ１１５５を含む。ウェイクアップ受信器１１５０は、ＲＤ１１１０を宛先とするウェイクアップ信号を受信し、処理する能力を有する。
【００６５】
ＲＤ１１１０は当初は、ＲＣＭ１１３５、１１４０、および１１４５がオフ、ならびにウェイクアップ受信器１１５０およびスイッチ１１５５が電源オンの状態で、電力削減された状態にある。ＴＤ１１０５は、ウェイクアップ信号をＲＤ１１１０に送信する（イベント１１６０として示される）。ウェイクアップ受信器１１５０はウェイクアップ信号を受信し処理し、ウェイクアップ信号はＲＤ１１１０を対象とすることを検証する（例えばウェイクアップ信号に含まれるアドレスは、ＲＤ１１１０のアドレスに等しいと決定することによって）。次いでウェイクアップ受信器は、ウェイクアップ割り込みを生成する（イベント１１６５として示される）。ＲＤ１１１０は、どのＲＣＭをウェイクアップするかを決定する。スイッチ１１５５は、ＲＤ１１１０がウェイクアップすると決定したＲＣＭをウェイクアップするためにウェイクアップ割り込みをアサートするための、ＲＤ１１１０のプロセッサによって行われる論理機能でよい。図１１に示されるようにＲＤ１１１０は、ＲＤ１１１０の判定基準を最も良く満たし得る、ＲＣＭ１１４０をウェイクアップする。ＲＤ１１１０は、ＲＣＭ１１４０がウェイクアップされた旨のインジケーションを、ＲＣＭ１１４０を用いてＴＤ１１０５に送信する（イベント１１７０として示される）。しかしＲＣＭ１１４０に関連付けられたＲＡＴは、ＴＤ１１０５の好ましいＲＡＴではない。従ってＴＤ１１０５は、異なるＲＣＭに切り換えるようにＲＤ１１１０に命令を送信する（イベント１１７５として示される）。例示的な例として、ＲＤ１１１０にもたらされる命令は、ＴＤ１１０５の好ましいＲＡＴを指定し得る。あるいはＲＤ１１１０にもたらされる命令は単に、異なるＲＣＭを選択するようにＲＤ１１１０に指示し得る。ＴＤ１１０５から命令を受信するとすぐに、ＲＤ１１１０は図１１に示されるように、ＲＣＭ１１３５などの異なるＲＣＭをウェイクアップする（イベント１１８０として示される）。例えばＲＣＭ１１４０は、図１１に示されるように命令に基づいて、ＲＣＭ１１３５をウェイクアップし得る。他の例としてＲＤ１１１０のプロセッサは、ＲＣＭ１１４０から命令を受信した後に、ＲＣＭ１１３５をウェイクアップし得る。ＴＤ１１０５が好ましいＲＡＴまたは特定のＲＣＭを指定する状況では、ＴＤ１１０５およびＲＤ１１１０は、データの交換を開始し得る（イベント１１８５として示される）。しかしＴＤ１１０５が、異なるＲＣＭに切り換えるようにＲＤ１１１０に指示する状況では、ＲＤ１１１０はデータの交換の前に、別のＲＣＭがウェイクアップされている旨のインジケーションをＴＤ１１０５に送信し得る。リダイレクションは、ＲＤ１１１０が、ＴＤ１１０５の好ましいＲＡＴに関連付けられたＲＣＭを選択する前に、複数回生じ得ることに留意されたい。複数のＲＣＭ内のＲＣＭのいずれかをウェイクアップするためには、ウェイクアップ受信器１１５０など単一のウェイクアップ受信器が電源オンされることだけが必要であることに留意されたい。
【００６６】
例示の実施形態によれば、ＴＤおよびＲＤの両方の組み合わせが、複数のＲＣＭのどの１つをウェイクアップするかを決定することが可能である。例示的な例としてＲＤによってウェイクアップされるが、ＴＤによって指定された第１のＲＣＭが、ＴＤから応答を生じず、次いでＲＤはより大きなカバレージを有する代替のＲＣＭをウェイクアップするように自律的に決定し得る状況を考察する。
【００６７】
図１２Ａは、ＴＤ（図６のＴＤ６０５、および図７のＴＤ７０５など）が、ＲＤ（図６のＲＤ６１０、および図７のＲＤ７１０など）と通信するのに従って、ＴＤにおいて生じる例示の動作１２００のフロー図を示し、ＴＤはＲＤにおける複数のＲＣＭのどの１つをウェイクアップするかを決定する。動作１２００は、ＴＤがＲＤと通信するのに従って、ＴＤにおいて生じる動作を示すものであってよく、ＴＤはＲＤにおける複数のＲＣＭのうちのどのＲＣＭをウェイクアップするかを決定する。
【００６８】
動作１２００は、ＴＤが、ＲＤにおけるどのＲＣＭをウェイクアップするかを決定することで開始する（ブロック１２０５）。ＴＤは、どのＲＣＭをウェイクアップするかを、電力消費要件、レイテンシ要件、ＱｏＳ要件、レンジ要件、データの発生源、履歴および使用情報などの判定基準に基づいて決定し得る。ＴＤは、どのＲＣＭをウェイクアップするかのインジケーションを有するウェイクアップ信号を生成する（ブロック１２０７）。ＴＤは、ウェイクアップ信号を送信する（ブロック１２０９）。ＴＤは、ウェイクアップされたＲＣＭを用いてＲＤと通信する（ブロック１２１１）。
【００６９】
図１２Ｂは、ＲＤ（図６のＲＤ６１０、および図７のＲＤ７１０など）が、ＴＤ（図６のＴＤ６０５、および図７のＴＤ７０５など）と通信するのに従って、ＲＤにおいて生じる例示の動作１２５０のフロー図を示し、ＴＤはＲＤにおける複数のＲＣＭのどの１つをウェイクアップするかを決定する。動作１２５０は、ＲＤがＴＤと通信するのに従って、ＲＤにおいて生じる動作を示すものであってよく、ＴＤはＲＤにおける複数のＲＣＭのうちのどのＲＣＭをウェイクアップするかを決定する。
【００７０】
動作１２５０は、ＲＤが電力削減された状態に入ることで開始する（ブロック１２５５）。例えばＲＤは、ＲＤにおける複数のＲＣＭを電源オフすると同時に、ウェイクアップ受信器を活動化することによって電力削減された状態に入り得る。ＲＤは、どのＲＣＭをウェイクアップするかのインジケーションを有するウェイクアップ信号を受信する（ブロック１２５７）。例えばＲＤは、そのウェイクアップ受信器（図６のウェイクアップ受信器６４５、および図７のウェイクアップ受信器７５０など）を用いてウェイクアップ信号を受信する。ＲＤは、ウェイクアップ信号がそのＲＤを対象とする場合、指示されたＲＣＭをウェイクアップする（ブロック１２５９）。例示的な例としてウェイクアップ信号は、ウェイクアップ信号に含まれるアドレス（または識別子）が、ＲＤ７１０のアドレス（または識別子）に等しい場合、そのＲＤを対象とする。ＲＤは、ウェイクアップされたＲＣＭを用いてＴＤと通信する（ブロック１２６１）。
【００７１】
図１３Ａは、ＴＤ（図８のＴＤ８０５、および図９のＴＤ９０５など）が、ＲＤ（図８のＲＤ８１０、および図９のＲＤ９１０など）と通信するのに従って、ＴＤにおいて生じる例示の動作１３００のフロー図を示し、ＴＤは、ＲＣＭをウェイクアップする前に、ウェイクアップ信号に応答してＲＤにおける複数のＲＣＭのどの１つをウェイクアップするかに関して、ＲＤと共に構成する。動作１３００は、ＴＤがＲＤと通信するのに従ってＴＤにおいて生じる動作を示すものであってよく、ＴＤは、ＲＣＭをウェイクアップする前に、ウェイクアップ信号に応答してＲＤにおける複数のＲＣＭのどの１つをウェイクアップするかに関して、ＲＤと共に構成する。
【００７２】
動作１３００は、ＴＤが、ＲＤにおけるどのＲＣＭをウェイクアップするかを決定することで開始する（ブロック１３０５）。ＴＤは、どのＲＣＭをウェイクアップするかを、電力消費要件、レイテンシ要件、ＱｏＳ要件、レンジ要件、データの発生源、履歴および使用情報などの判定基準に基づいて決定し得る。判定基準は予め設定され得る。またはあるいは、どのＲＣＭをウェイクアップするかの決定は、アクティブなＲＣＭを用いたメッセージ交換に基づくＴＤとＲＤとの間のネゴシエーションの結果でよい。ＴＤは、ＲＤの第２のＲＣＭがアクティブである間に、ＲＤの第２のＲＣＭにウェイクアップ構成を送信する（ブロック１３０７）。ウェイクアップ構成は、第１のＲＣＭのインジケーションなどの第１のＲＣＭの情報を含み、これはウェイクアップ信号がＴＤから受信されたときにＲＤがウェイクアップすることになるＲＣＭであると、ＴＤが決定（ブロック１３０５において）したものである。ウェイクアップ構成は、ウェイクアップするＲＣＭのリスト（例えば選好または優先度に基づいた順序付けを有する）、エラー処理プロセス（例えばＲＤにおいて、ＴＤによって指定された第１のＲＣＭが使用可能でない（または故障した）場合など）、および同様のものなどの他の情報を含んでもよい。ＴＤはウェイクアップ信号を生成する（ブロック１３０９）。ウェイクアップ信号はＲＤのＲＣＭの明示的なインジケーションを含まず、これはＲＤがウェイクアップすることになると、ＴＤが決定したもの、すなわち第１のＲＣＭである。ＲＤの第２のＲＣＭは、ＲＤの第１のＲＣＭと同じでよい。あるいはＲＤの第２のＲＣＭは、ＲＤの第１のＲＣＭと異なってよい。ＴＤはウェイクアップ信号を送信する（ブロック１３１１）。ＴＤはＲＤと通信し、ＲＤはウェイクアップされたＲＣＭを用いる（ブロック１３１３）。
【００７３】
図１３Ｂは、ＲＤ（図８のＲＤ８１０、および図９のＲＤ９１０など）が、ＴＤ（図８のＴＤ８０５、および図９のＴＤ９０５など）と通信するのに従って、ＲＤにおいて生じる例示の動作１３５０のフロー図を示し、ＲＤは、ＲＣＭをウェイクアップする前に、ウェイクアップ信号に応答してＲＤにおける複数のＲＣＭのどの１つをウェイクアップするかに関して、ＴＤと共に構成する。動作１３５０は、ＲＤがＴＤと通信するのに従ってＲＤにおいて生じる動作を示すものであってよく、ＲＤは、ＲＣＭをウェイクアップする前に、ウェイクアップ信号に応答してＲＤにおける複数のＲＣＭのどの１つをウェイクアップするかに関して、ＴＤと共に構成する。
【００７４】
動作１３５０は、ＲＤがＴＤからウェイクアップ構成を受信することで開始する（ブロック１３５５）。ウェイクアップ構成は、ＲＤによってウェイクアップされることになるとＴＤによって決定されたＲＣＭに関連付けられてよく（すなわち前に論じられた第１のＲＣＭ）、決定は判定基準に従ってなされ、ウェイクアップ構成はＴＤによってＲＤに送信される。あるいはＲＤがＴＤからウェイクアップ構成を受信するのは、アクティブなＲＣＭを用いたメッセージ交換によるＲＤとＴＤとの間のネゴシエーションの結果でよく、ＲＤによってウェイクアップされることになるＲＣＭを決定するためのネゴシエーションである。ＲＤは、複数のＲＣＭの１つがアクティブである間に、ＲＤにおける複数のＲＣＭの１つを用いて、ウェイクアップ構成を受信し得る。ウェイクアップ構成は、ＲＤにおける複数のＲＣＭがスリーピングモードに設定された後、ＴＤから一致したウェイクアップ信号をＲＤが受信したときに、ＲＤにおける複数のＲＣＭのどのＲＣＭをウェイクアップするかを指定し得る。次いでＲＤは電力削減された状態に入る（ブロック１３５７）。例えばＲＤは、ＲＤにおける複数のＲＣＭを電源オフすると同時に、ＲＤのウェイクアップ受信器を活動化することによって、電力削減された状態に入り得る。ＲＤは、一致したウェイクアップ信号をＴＤから受信する（ブロック１３５９）。一般にウェイクアップ信号は、ウェイクアップ信号内のアドレス（または識別子）が、ＲＤのアドレス（または識別子）に等しいとき、一致したウェイクアップ信号である。例えばＲＤは、そのウェイクアップ受信器（図８のウェイクアップ受信器８４５、および図９のウェイクアップ受信器９５０など）を用いて一致したウェイクアップ信号を受信する。ＲＤは、現在のウェイクアップイベントの前の構成に従って、ＲＣＭをウェイクアップする（ブロック１３６１）。ＲＤは、ウェイクアップされたＲＣＭを用いてＴＤと通信する（ブロック１３６３）。
【００７５】
図１４Ａは、ＴＤ（図１０のＴＤ１００５、および図１１のＴＤ１１０５など）が、ＲＤ（図１０のＲＤ１０１０、および図１１のＲＤ１１１０など）と通信するのに従って、ＴＤにおいて生じる例示の動作１４００のフロー図を示し、ＲＤはどのＲＣＭをウェイクアップするかを決定する。動作１４００は、ＴＤがＲＤと通信するのに従って、ＴＤにおいて生じる動作を示すものであってよく、ＲＤはどのＲＣＭをウェイクアップするかを決定する。
【００７６】
動作１４００は、ＴＤがウェイクアップ信号を生成することで開始する（ブロック１４０５）。ＴＤはウェイクアップ信号を送信する（ブロック１４０７）。ＴＤは、ウェイクアップされたＲＣＭのインジケーションを受信する（ブロック１４０９）。ウェイクアップされたＲＣＭのインジケーションは、ウェイクアップされたＲＣＭに関連付けられたＲＡＴを通して受信される。ＴＤは、応答をＲＤに送信する（ブロック１４１１）。応答は、さらなる通信のために、ウェイクアップされたＲＣＭを受け入れるデータ送信または肯定応答の形でよい。あるいは応答は、別のＲＣＭに切り換えるためのＲＤへの命令でよい。ＴＤはＲＤと通信し、ＲＤはウェイクアップされたＲＣＭを用いる（ブロック１４１３）。ＴＤが特定のＲＡＴに対する選好を有する場合、ＴＤは、ＲＤに特定のＲＡＴに切り換えるように、または単にＲＡＴもしくはＲＣＭを切り換えるように指示する命令をＲＤに送信し得る。ブロック１４１１におけるＲＤへの応答がデータ送信である場合、交換する追加の情報がない場合はブロック１４１３は生じないことがあることに留意されたい。
【００７７】
図１４Ｂは、ＲＤ（図１０のＲＤ１０１０、および図１１のＲＤ１１１０など）が、ＴＤ（図１０のＴＤ１００５、および図１１のＴＤ１１０５など）と通信するのに従って、ＲＤにおいて生じる例示の動作１４５０のフロー図を示し、ＴＤはどのＲＣＭをウェイクアップするかを決定する。動作１４００は、ＲＤがＴＤと通信するのに従って、ＲＤにおいて生じる動作を示すものであってよく、ＲＤはどのＲＣＭをウェイクアップするかを決定する。
【００７８】
動作１４５０は、ＲＤが電力削減された状態に入ることで開始する（ブロック１４５５）。例えばＲＤは、ＲＤにおける複数のＲＣＭを電源オフすると同時に、ウェイクアップ受信器を活動化することによって電力削減された状態に入り得る。ＲＤはウェイクアップ信号を受信する（ブロック１４５７）。例えばＲＤは、そのウェイクアップ受信器を用いてウェイクアップ信号を受信する。ウェイクアップ信号がＲＤを対象とする（例えばウェイクアップ信号のアドレスが、ＲＤのアドレスに等しい）場合、ウェイクアップ信号はＲＤを対象とする。ＲＤは、どのＲＣＭをウェイクアップするかを決定する（ブロック１４５９）。ＲＤは、どのＲＣＭをウェイクアップするかを、電力消費要件、レイテンシ要件、ＱｏＳ要件、レンジ要件、履歴および使用情報などの判定基準に基づいて決定し得る。ＲＤは、ウェイクアップされたＲＣＭのインジケーションを送信する（ブロック１４６１）。インジケーションは、ウェイクアップされたＲＣＭを用いて送信され得る。ＲＤは、ＴＤから応答を受信する（ブロック１４６３）。ＴＤからの応答は、さらなる通信のために、ウェイクアップされたＲＣＭを受け入れる、ＴＤからのデータ送信、または肯定応答の形でよい。あるいはＴＤからの応答は、異なるＲＡＴまたはＲＣＭに切り換えるための、ＴＤからの命令でよい。図１０に示される状況などにおいて、タイムアウト期間が満了する前に、ＲＤがＴＤから応答を受信しないエラーが生じることもある。このような状況においてＲＤは、異なるウェイクアップするＲＣＭを自動的に決定する。ＲＤは、ウェイクアップされたＲＣＭを用いてＴＤと通信する（ブロック１４６５）。ブロック１４６３におけるＴＤからの応答がデータ送信である場合、交換する追加の情報がない場合はブロック１４６５は生じないことがあることに留意されたい。
【００７９】
第１の態様において本出願は、第１のステーションの複数のＲＣＭの１つをウェイクアップする方法をもたらす。方法は、第１のステーションによって、第２のステーションからウェイクアップ構成を受信するステップと、第１のステーションによって、第１のステーションの複数のＲＣＭをスリーピングモードに設定するステップと、第１のステーションによって、第１のステーションの補助的低電力無線受信器上で第２のステーションからウェイクアップ信号を受信するステップと、第１のステーションによって、ウェイクアップ構成に従って、ウェイクアップする複数のＲＣＭの第１のＲＣＭを決定するステップと、第１のステーションによって、第２のステーションと通信するために、第１のＲＣＭをスリーピングモードからウェイクアップするステップとを含む。
【００８０】
第１の態様による方法の第１の実施形態によれば、方法は、ウェイクアップ構成を決定するために、第１のステーションによって、第２のステーションと通信するステップを含む。第１の態様のいずれかの先行する実施形態またはそのような第１の態様による方法の第２の実施形態によれば、ウェイクアップ構成を決定するために第２のステーションと通信するステップは、複数のＲＣＭの第１のＲＣＭまたは第２のＲＣＭを用いて行われ、第２のＲＣＭは第１のＲＣＭとは異なる。第１の態様のいずれかの先行する実施形態またはそのような第１の態様による方法の第３の実施形態によれば、ウェイクアップ構成は、第１のステーションの各ＲＣＭの電力消費と比較した電力消費要件、第１のステーションの各ＲＣＭをウェイクアップすることに関連付けられたレイテンシと比較したレイテンシ要件、第１のステーションのＲＣＭのそれぞれによってサポートされるサービス品質（ＱｏＳ）要件と比較した予想されるデータ送信のＱｏＳ要件、第１のステーションのＲＣＭのそれぞれによってサポートされる通信レンジを有する第１のステーションと第２のステーションとの間の推定されるレンジと比較したレンジ要件、第１のステーションの履歴および使用情報の１つまたは複数に従って決定される。
【００８１】
第１の態様のいずれかの先行する実施形態またはそのような第１の態様による方法の第４の実施形態によれば、ウェイクアップ構成は、第１のＲＣＭのインジケーションを含む。ウェイクアップ構成は、マッピングインジケータ値の、第１のステーションの複数のＲＣＭのＲＣＭへのマッピングを含み、ウェイクアップ信号はマッピングインジケータを含み、第１のＲＣＭを決定するステップは、マッピングおよびマッピングインジケータに従って第１のＲＣＭを選択するステップを含む。第１の態様のいずれかの先行する実施形態またはそのような第１の態様による方法の第５の実施形態によれば、方法は、第１のステーションによって、ＲＣＭウェイクアップインジケータを第２のステーションに送信するステップと、第１のステーションによって、第１のＲＣＭ上で第２のステーションから応答を受信する前にタイムアウトを検出するステップと、第１のステーションによって、ウェイクアップする第１のステーションの複数のＲＣＭの第３のＲＣＭを決定するステップと、第１のステーションによって、第３のＲＣＭをウェイクアップするステップと、第１のステーションによって、第３のＲＣＭをウェイクアップした後に第３のＲＣＭを用いて第２のステーションと通信するステップとを含む。
【００８２】
第２の態様において本出願は、複数のＲＣＭを有する第１のステーションと通信する方法をもたらす。方法は、第２のステーションによって、第１のステーションのためのウェイクアップ構成を送信するステップと、第２のステーションによって、第１のステーションの複数のＲＣＭをスリーピングモードに設定するステップと、第２のステーションによって、第１のステーションを対象とするウェイクアップ信号を送信するステップであって、ウェイクアップ信号は、ウェイクアップ構成に従って複数のＲＣＭの第１のＲＣＭをウェイクアップするように構成される、ステップと、第２のステーションによって、第１のステーションの複数のＲＣＭの第２のＲＣＭからウェイクアップインジケーションを受信するステップと、第２のステーションによって、第１のステーションの複数のＲＣＭの第２のＲＣＭに関連付けられた第２のステーションの第３のＲＣＭを用いて、第１のステーションとデータを通信するステップとを含む。
【００８３】
第２の態様による方法の第１の実施形態によれば、ウェイクアップ構成は、第１のＲＣＭのインジケーションを備える。第２の態様のいずれかの先行する実施形態またはそのような第２の態様による方法の第２の実施形態によれば、方法は、第２のステーションによって、ウェイクアップ構成を決定するために第１のステーションと通信するステップを含む。第２の態様のいずれかの先行する実施形態またはそのような第２の態様による方法の第３の実施形態によれば、ウェイクアップ構成を決定するために第１のステーションと通信するステップは、第１のＲＣＭの１つに関連付けられた第２のステーションの第４のＲＣＭ、または第１のＲＣＭとは異なる、第１のステーションの複数のＲＣＭの第５のＲＣＭを用いて行われる。
【００８４】
第２の態様のいずれかの先行する実施形態またはそのような第２の態様による方法の第４の実施形態によれば、ウェイクアップ構成は、第１のステーションの各ＲＣＭの電力消費と比較した電力消費要件、第１のステーションの各ＲＣＭをウェイクアップすることに関連付けられたレイテンシと比較したレイテンシ要件、第１のステーションのＲＣＭのそれぞれによってサポートされるサービス品質（ＱｏＳ）要件と比較した予想されるデータ送信のＱｏＳ要件、第１のステーションのＲＣＭのそれぞれによってサポートされる通信レンジを有する第１のステーションと第２のステーションとの間の推定されるレンジと比較したレンジ要件、第１のステーションの履歴および使用情報の１つまたは複数に従って決定される。
【００８５】
第２の態様のいずれかの先行する実施形態またはそのような第２の態様による方法の第５の実施形態によれば、ウェイクアップ構成は、マッピングインジケータ値の、第１のステーションの複数のＲＣＭのＲＣＭへのマッピングを含み、ウェイクアップ信号はマッピングインジケータを含み、方法は第２のステーションによって、マッピングに従って第１のＲＣＭに対応する、ウェイクアップ信号内のマッピングインジケータの値を決定するステップをさらに含む。
【００８６】
第３の態様において本出願は、第１のステーションをもたらす。第１のステーションはプロセッサ、およびプロセッサによる実行のためのプログラミングを記憶したコンピュータ可読記憶媒体を含む。プログラミングは、第２のステーションからウェイクアップ構成を受信することと、第１のステーションの複数のＲＣＭをスリーピングモードに設定することと、第１のステーションの補助的低電力無線受信器上で第２のステーションからウェイクアップ信号を受信することと、ウェイクアップ構成に従って、ウェイクアップする複数のＲＣＭの第１のＲＣＭを決定することと、第２のステーションと通信するために、第１のＲＣＭをスリーピングモードからウェイクアップすることを行うように第１のステーションを構成するための命令を含む。
【００８７】
第３の態様による第１のステーションの第１の実施形態によれば、プログラミングは、ウェイクアップ構成を決定するために第２のステーションと通信するように、第１のステーションを構成するための命令を含む。第３の態様のいずれかの先行する実施形態またはそのような第３の態様による第１のステーションの第２の実施形態によれば、ウェイクアップ構成は、第１のＲＣＭのインジケーションを含む。第３の態様のいずれかの先行する実施形態またはそのような第３の態様による第１のステーションの第３の実施形態によれば、ウェイクアップ構成は、マッピングインジケータ値の、第１のステーションの複数のＲＣＭのＲＣＭへのマッピングを含み、ウェイクアップ信号はマッピングインジケータを含み、プログラミングは、マッピングおよびマッピングインジケータに従って第１のＲＣＭを選択するように、第１のステーションを構成するための命令を含む。
【００８８】
第３の態様のいずれかの先行する実施形態またはそのような第３の態様による第１のステーションの第４の実施形態によれば、プログラミングは、第１のステーションを、ＲＣＭウェイクアップインジケータを第２のステーションに送信することと、第１のＲＣＭ上で第２のステーションから応答を受信する前にタイムアウトを検出することと、ウェイクアップする第１のステーションの複数のＲＣＭの第３のＲＣＭを決定することと、第３のＲＣＭをウェイクアップすることと、第３のＲＣＭをウェイクアップした後に第３のＲＣＭを用いて第２のステーションと通信することとを行うように構成するための命令を含む。
【００８９】
第４の態様において本出願は、複数のＲＣＭを有する第１のステーションと通信するように適合された第２のステーションをもたらす。第２のステーションはプロセッサ、およびプロセッサによる実行のためのプログラミングを記憶したコンピュータ可読記憶媒体を含む。プログラミングは、第１のステーションのためのウェイクアップ構成を送信することと、第１のステーションの複数のＲＣＭをスリーピングモードに設定することと、第１のステーションを対象とするウェイクアップ信号を送信することであって、ウェイクアップ信号は、ウェイクアップ構成に従って複数のＲＣＭの第１のＲＣＭをウェイクアップするように構成される、送信することと、第１のステーションの複数のＲＣＭの第２のＲＣＭからウェイクアップインジケーションを受信することと、第１のステーションの複数のＲＣＭの第２のＲＣＭに関連付けられた第２のステーションの第３のＲＣＭを用いて、第１のステーションとデータを通信することとを行うように第２のステーションを構成するための命令を含む。
【００９０】
第４の態様による第２のステーションの第１の実施形態によれば、プログラミングは、ウェイクアップ構成を決定するために第１のステーションと通信するように、第２のステーションを構成するための命令を含む。第４の態様のいずれかの先行する実施形態またはそのような第４の態様による第２のステーションの第２の実施形態によれば、ウェイクアップ構成は、マッピングインジケータ値の、第１のステーションの複数のＲＣＭのＲＣＭへのマッピングを含み、ウェイクアップ信号はマッピングインジケータを含み、プログラミングは、マッピングに従って第１のＲＣＭに対応する、ウェイクアップ信号内のマッピングインジケータの値を決定するように第２のステーションを構成するための命令を含む。
【００９１】
図１５は、本明細書で述べられる方法を行うための実施形態処理システム１５００のブロック図を示し、これはホストデバイスにインストールされ得る。示されるように処理システム１５００はプロセッサ１５０４、メモリ１５０６、およびインターフェース１５１０〜１５１４を含み、これらは図１５に示されるように配置されてよく、配置されなくてもよい。プロセッサ１５０４は、計算および／または他の処理関連タスクを行うように適合された任意の構成要素または構成要素の集合でよく、メモリ１５０６は、プロセッサ１５０４による実行のためのプログラミングおよび／または命令を記憶するように適合された任意の構成要素または構成要素の集合でよい。実施形態においてメモリ６０６は、非一時的コンピュータ可読媒体を含む。インターフェース１５１０、１５１２、１５１４は、処理システム１５００が他のデバイス／構成要素、および／またはユーザと通信することを可能にする任意の構成要素または構成要素の集合でよい。例えばインターフェース１５１０、１５１２、１５１４の１つまたは複数は、データを通信する、制御する、またはプロセッサ１５０４からホストデバイスおよび／または遠隔デバイスにインストールされたアプリケーションへのメッセージを管理するように適合され得る。他の例としてインターフェース１５１０、１５１２、１５１４の１つまたは複数は、ユーザまたはユーザデバイス（例えばパーソナルコンピュータ（ＰＣ）など）が処理システム１５００と対話／通信することを可能にするように適合され得る。処理システム１５００は、長期間記憶装置（例えば不揮発性メモリ、その他）など、図１５に示されない追加の構成要素を含み得る。
【００９２】
いくつかの実施形態において処理システム１５００は、電気通信ネットワークにアクセスするまたはそうでなければその一部であるネットワークデバイス内に含められる。一例において処理システム１５００は、ベースステーション、中継ステーション、スケジューラ、コントローラ、ゲートウェイ、ルータ、アプリケーションサーバ、または電気通信ネットワーク内の任意の他のデバイスなど、無線電気通信ネットワーク内のネットワーク側デバイス内にある。他の実施形態において処理システム１５００は、モバイルステーション、ユーザ機器（ＵＥ）、パーソナルコンピュータ（ＰＣ）、タブレット、ウェアラブル通信デバイス（例えばスマートウォッチなど）、または電気通信ネットワークにアクセスするように適合された任意の他のデバイスなど、無線電気通信ネットワークにアクセスするユーザ側デバイス内にある。
【００９３】
いくつかの実施形態においてインターフェース１５１０、１５１２、１５１４の１つまたは複数は、処理システム１５００を、電気通信ネットワークを通してシグナリングを送信および受信するように適合されたトランシーバに接続する。図１６は、電気通信ネットワークを通してシグナリングを送信および受信するように適合されたＲＣＭ１６００のブロック図を示す。ＲＣＭ１６００は、ホストデバイスにインストールされ得る。示されるようにＲＣＭ１６００は、ネットワーク側インターフェース１６０２、カプラ１６０４、送信器１６０６、受信器１６０８、信号プロセッサ１６１０、およびデバイス側インターフェース１６１２を備える。ネットワーク側インターフェース１６０２は、無線電気通信ネットワークを通してシグナリングを送信または受信するように適合された任意の構成要素または構成要素の集合を含み得る。カプラ１６０４は、ネットワーク側インターフェース１６０２を通した双方向通信を容易にするように適合された任意の構成要素または構成要素の集合を含み得る。送信器１６０６は、ベースバンド信号を、ネットワーク側インターフェース１６０２を通した送信に適した変調された搬送波信号に変換するように適合された、任意の構成要素または構成要素の集合（例えばアップコンバータ、電力増幅器など）を含み得る。ウェイクアップ信号を送信する手段は送信器１６０６を含み得る。受信器１６０８は、ネットワーク側インターフェース１６０２を通して受信された搬送波信号を、ベースバンド信号に変換するように適合された任意の構成要素または構成要素の集合（例えばダウンコンバータ、低ノイズ増幅器など）を含み得る。ウェイクアップ信号を受信する手段は受信器１６０８を含み得る。信号プロセッサ１６１０は、ベースバンド信号を、デバイス側インターフェース１６１２を通した通信に適したデータ信号に、またはその逆に変換するように適合された任意の構成要素または構成要素の集合を含み得る。ウェイクアップする複数のＲＣＭの第１のＲＣＭを決定する手段、および第１のＲＣＭをスリーピングモードからウェイクアップする手段は、信号プロセッサ１６１０を含み得る。デバイス側インターフェース１６１２は、信号プロセッサ１６１０と、ホストデバイス内の構成要素（例えば処理システム１５００、ローカルエリアネットワーク（ＬＡＮ）ポートなど）との間でデータ信号を通信するように適合された任意の構成要素または構成要素の集合を含み得る。
【００９４】
ＲＣＭ１６００は、任意のタイプの無線アクセス技術を有する無線媒体を通して、シグナリングを送信および受信し得る。例えばＲＣＭ１６００は、セルラプロトコル（例えばロングタームエボリューション（ＬＴＥ）など）、無線ローカルエリアネットワーク（ＷＬＡＮ）プロトコル（例えばＩＥＥＥ  ８０２．１１／Ｗｉ−Ｆｉなど）、または任意の他のタイプの無線プロトコル（例えばＢｌｕｅｔｏｏｔｈ、８０２．１５．４／ＺｉｇＢｅｅ、ＬＡＡ、ＭｕＬＴＥＦｉｒｅ、近距離通信（ＮＦＣ）、その他）などの、無線電気通信プロトコルに従って通信するように適合された無線ＲＣＭでよい。このような実施形態においてネットワーク側インターフェース１６０２は、１つまたは複数のアンテナ／放射要素を備える。例えばネットワーク側インターフェース１６０２は、単一のアンテナ、複数の別個のアンテナ、または複数レイヤ通信、例えば単入力多出力（ＳＩＭＯ）、多入力単出力（ＭＩＳＯ）、多入力多出力（ＭＩＭＯ）のために構成された複数アンテナアレイなどを含み得る。他の実施形態においてＲＣＭ１６００は有線媒体、例えばツイストペアケーブル、同軸ケーブル、光ファイバなどを通してシグナリングを送信および受信する。特定の処理システムおよび／またはトランシーバは、示される構成要素のすべて、または構成要素のサブセットのみを利用してよく、統合化のレベルはデバイスごとに異なり得る。
【００９５】
一実施形態において複数の無線通信モジュール（ＲＣＭ）を有する第１のステーションと通信するためのシステムは、第１のステーションのためのウェイクアップ構成を送信するための送信手段を含む。システムは、第２のステーションによって、第１のステーションの複数のＲＣＭをスリーピングモードに設定するための設定手段をさらに含む。送信手段はまた、ウェイクアップ構成に従って複数のＲＣＭの第１のＲＣＭをウェイクアップするために、第１のステーションを対象とするウェイクアップ信号を送信するように構成される。システムは、第１のステーションの複数のＲＣＭの第２のＲＣＭからウェイクアップインジケーションを受信するための受信手段をさらに含む。システムはまた、第１のステーションの複数のＲＣＭの第２のＲＣＭに関連付けられた第２のステーションの第３のＲＣＭを用いて、第１のステーションとデータを通信するための通信手段を含む。
【００９６】
一実施形態において通信手段は、ウェイクアップ構成を決定するために第１のステーションと通信するように構成される。１つの特定の実施形態において通信手段は、ウェイクアップ構成を決定するために第１のステーションと通信することが、第１のＲＣＭの１つに関連付けられた第２のステーションの第４のＲＣＭ、または第１のＲＣＭとは異なる、第１のステーションの複数のＲＣＭの第５のＲＣＭを用いて行われるように構成される。
【００９７】
本明細書でもたらされる実施形態方法の１つまたは複数のステップは、対応するユニットまたはモジュールによって行われ得ることが理解されるべきである。例えば信号は送信ユニットまたは送信モジュールによって送信され得る。信号は受信ユニットまたは受信モジュールによって受信され得る。信号は処理ユニットまたは処理モジュールによって処理され得る。他のステップは、決定ユニット／モジュール、設定ユニット／モジュール、通信ユニット／モジュール、検出ユニット／モジュール、および／またはウェイクアップユニット／モジュールによって行われ得る。それぞれのユニット／モジュールはハードウェア、ソフトウェア、またはそれらの組み合わせでよい。例えばユニット／モジュールの１つまたは複数は、フィールドプログラマブルゲートアレイ（ＦＰＧＡ）または特定用途向け集積回路（ＡＳＩＣ）などの集積回路でよい。
【００９８】
本開示およびその利点が詳しく述べられてきたが、添付の「特許請求の範囲」によって定義される本開示の趣旨および範囲から逸脱せずに、本明細書において様々な変更、置き換え、および変形が行われることができることが理解されるべきである。
【図１】
2019527982.tif 000006
【図２】
2019527982.tif 000007
【図３】
2019527982.tif 000008
【図４Ａ】
2019527982.tif 000009
【図４Ｂ】
2019527982.tif 000010
【図５】
2019527982.tif 000011
【図６】
2019527982.tif 000012
【図７】
2019527982.tif 000013
【図８】
2019527982.tif 000014
【図９】
2019527982.tif 000015
【図１０】
2019527982.tif 000016
【図１１】
2019527982.tif 000017
【図１２Ａ】
2019527982.tif 000018
【図１２Ｂ】
2019527982.tif 000019
【図１３Ａ】
2019527982.tif 000020
【図１３Ｂ】
2019527982.tif 000021
【図１４Ａ】
2019527982.tif 000022
【図１４Ｂ】
2019527982.tif 000023
【図１５】
2019527982.tif 000024
【図１６】
2019527982.tif 000025
【国際調査報告】
2019527982.tif 000026
2019527982.tif 000027